(57)【要約】ビームベースのポジショニング測定および測定報告のための方法および装置が開示されている。一実施形態によれば、ネットワークノードにおける方法は、複数の測位基準信号について無線デバイス（ＷＤ）を構成するための情報を通信することを有し、通信される情報は、複数の測位基準信号のうちのどれが同一の送信ポイントから送信されるかを少なくとも示す。また、別の実施形態によれば、ＷＤにおける方法は、複数の測位基準信号のうちのどれが同一の送信ポイントから送信されるかを示す情報を受信することと、同一の送信ポイントから送信される前記複数の測位基準信号のそれぞれについて測定を行うことと、を有する。【選択図】図９
2022502957.tif 000002
【特許請求の範囲】
【請求項１】
無線デバイス（ＷＤ）（２２）と通信するように構成されたネットワークノード（１６）であって、前記ネットワークノードは、無線インターフェース（６２）とプロセッシング回路（６８）とを有し、当該プロセッシング回路（６８）は、
複数の測位基準信号について前記ＷＤを構成するための情報を通信するように構成されており、前記通信される情報は、前記複数の測位基準信号のうちのどれが同一の送信ポイントから送信されるかを少なくとも示す、ネットワークノード。
【請求項２】
請求項１に記載のネットワークノードであって、前記通信される情報は、前記複数の測位基準信号のそれぞれについての送信ポイント識別子を有し、当該送信ポイント識別子は、対応する測位基準信号の送信ポイントを識別する、ネットワークノード。
【請求項３】
請求項１に記載のネットワークノードであって、前記無線インターフェースおよび前記プロセッシング回路は、さらに、
基準信号時間差（ＲＳＴＤ）測定に対応する情報を前記ＷＤから受信し、ここで前記ＲＳＴＤは、前記複数の測位基準信号について行われた測定に少なくとも部分的に基づいており、
前記受信された情報に基づいて、前記ＷＤの位置を推定する、ように構成されている、ネットワークノード。
【請求項４】
請求項３に記載のネットワークノードであって、前記受信される情報は、前記複数の測位基準信号のうち、最小の測定された到来時間（ＴＯＡ）を有するものを識別する情報を少なくとも有する、ネットワークノード。
【請求項５】
請求項３または４に記載のネットワークノードであって、前記受信される情報は、少なくとも１つの送信ポイントについて、同一の送信ポイントから送信される前記複数の測位基準信号のうちでどの測位基準信号が、十分に正確なＴＯＡ測定を可能にするほどに十分に強力で、かつ、最小の測定されたＴＯＡを有しているかを識別する情報を、少なくとも有する、ネットワークノード。
【請求項６】
ネットワークノードにおいて実装される方法であって、前記方法は、
複数の測位基準信号について無線デバイス（ＷＤ）を構成するための情報を通信すること（Ｓ１３４）を有し、前記通信される情報は、少なくとも前記複数の測位基準信号のうちのどれが同一の送信ポイントから送信されるかを示す、方法。
【請求項７】
請求項６に記載の方法であって、前記通信される情報は、前記複数の測位基準信号のそれぞれについての送信ポイント識別子を有し、前記送信ポイント識別子は、対応する測位基準信号の送信ポイントを識別する、方法。
【請求項８】
請求項６に記載の方法であって、前記方法は、さらに、
基準信号時間差（ＲＳＴＤ）の測定に対応する情報を前記ＷＤから受信すること（Ｓ１３５ａ）と、ここで、前記ＲＳＴＤは、前記複数の測位基準信号に対して実行された測定に少なくとも部分的に基づいており、
前記受信された情報に基づいて、前記ＷＤの位置を推定すること（Ｓ１３５ｂ）と、を有する方法。
【請求項９】
請求項８に記載の方法であって、前記受信される情報は、前記複数の測位基準信号のうち、最小の測定された到来時間を有するものを識別する情報を少なくとも有する、方法。
【請求項１０】
請求項８または９に記載の方法であって、前記受信される情報は、少なくとも１つの送信ポイントについて、前記同一の送信ポイントから送信される前記複数の測位基準信号のうちで十分に正確なＴＯＡ測定を可能にするほどに十分に強く、最小の測定されたＴＯＡを有するかを識別する測位基準信号を識別する情報を少なくとも有する、方法。
【請求項１１】
ネットワークノード（１６）と通信するように構成された無線デバイス（ＷＤ）（２２）であって、前記ＷＤは、無線インターフェース（８２）とプロセッシング回路（８８）とを有し、前記プロセッシング回路（８８）は、
複数の測位基準信号のうち同一の送信ポイントから送信されるものを示す情報を受信し、
前記同一の送信ポイントから送信される前記複数の測位基準信号のそれぞれについて測定を実行する、ように構成されている、ＷＤ。
【請求項１２】
請求項１１に記載のＷＤであって、前記無線インターフェースおよび前記プロセッシング回路は、
少なくとも一対の送信ポイントにおける各送信ポイントについて、同一の送信ポイントからの測位基準信号についての到来時間（ＴＯＡ）を測定し、
前記少なくとも一対の送信ポイントにおける各送信ポイントについて算出された前記ＴＯＡに基づいて、前記少なくとも一対の送信ポイントについての基準信号時間差（ＲＳＴＤ）を算出する、ように構成されている、ＷＤ。
【請求項１３】
請求項１２に記載のＷＤであって、前記無線インターフェースおよび前記プロセッシング回路は、さらに、
前記同一の送信ポイントからの前記測位基準信号について測定された前記ＴＯＡのうちで最小のＴＯＡとしてＴＯＡを算出する、ように構成されている、ＷＤ。
【請求項１４】
請求項１２または１３に記載のＷＤであって、前記無線インターフェースおよび前記プロセッシング回路は、前記少なくとも一対の送信ポイントについて算出された前記ＲＳＴＤを前記ネットワークノードに報告するようにさらに構成されている、ＷＤ。
【請求項１５】
請求項１４に記載のＷＤであって、前記報告は、前記同一の送信ポイントから送信される前記複数の測位基準信号のうちどれが最小の測定された到来時間を有するかを識別する情報を少なくとも有する、ＷＤ。
【請求項１６】
請求項１４に記載のＷＤであって、前記報告は、少なくとも、前記同一の送信ポイントから送信される前記複数の測位基準信号のうちで、十分に正確なＴＯＡ測定を可能にするほどに十分に強く、最小の測定されたＴＯＡを有する測位基準信号を識別する情報を有する、ＷＤ。
【請求項１７】
先行するいずれかの請求項に記載のＷＤであって、前記無線インターフェースおよび前記プロセッシング回路は、さらに、
前記同一の送信ポイントから送信される複数の測位基準信号のうちで、十分に正確なＴＯＡ測定を可能にするほどに十分に強く、最小の測定されたＴＯＡを有している測位基準信号を識別するように構成されている、ＷＤ。
【請求項１８】
無線デバイス（ＷＤ）において実装される方法であって、前記方法は、
同一の送信ポイントから複数の測位基準信号のどれが送信されるかを示す情報を受信すること（Ｓ１４２）と、
前記同一の送信ポイントから送信された前記複数の測位基準信号のそれぞれについて測定を実行すること（Ｓ１４４）と、を有する、方法。
【請求項１９】
請求項１８に記載の方法であって、前記測定を実行することは、さらに、
少なくとも一対の送信ポイントにおける各送信ポイントについて、前記同一の送信ポイントからの前記測位基準信号についてＴＯＡを測定すること（Ｓ１４５ａ）と、
前記少なくとも一対の送信ポイントにおける各送信ポイントについて算出された前記ＴＯＡに基づいて、前記少なくとも一対の送信ポイントについての基準信号時間差（ＲＳＴＤ）を算出すること（Ｓ１４５ｂ）と、を有する、方法。
【請求項２０】
請求項１９に記載の方法であって、前記方法は、さらに、
前記同一の送信ポイントからの前記測位基準信号について測定されたＴＯＡのうちで最小のＴＯＡとしてＴＯＡを算出すること、を有する、方法。
【請求項２１】
請求項１９または２０に記載の方法であって、 前記少なくとも一対の送信ポイントについて算出された前記ＲＳＴＤを前記ネットワークノードに報告すること、をさらに有する、方法。
【請求項２２】
請求項２１に記載の方法であって、前記報告は、前記複数の測位基準信号のうちで測定された到来時間が最小のものを識別する情報を少なくとも有する、方法。
【請求項２３】
請求項２１に記載の方法であって、前記報告は、前記同一の送信ポイントから送信される前記複数の測位基準信号のうちで、十分に正確なＴＯＡ測定を可能とするほどに十分に強く、最小の測定されたＴＯＡを有する測位基準信号を識別する情報を少なくとも有する、方法。
【請求項２４】
先行する請求項のいずれかに記載の方法であって、さらに、
前記同一の送信ポイントから送信される前記複数の測位基準信号のうちで、十分に正確なＴＯＡ測定を可能にするほどに十分に強力で、最小の測定されたＴＯＡを有する測位基準信号を識別すること（Ｓ１４７）、を有する、方法。
【請求項２５】
無線デバイス（ＷＤ）と通信するように構成された送信ノードであって、前記送信ノードは、無線インターフェースとプロセッシング回路とを有し、前記プロセッシング回路は、
複数の測位基準信号についての構成情報を取得し、
前記取得された構成情報に対応する前記複数の測位基準信号のそれぞれについて波形を決定し、
前記複数の測位基準信号のそれぞれについて決定された前記波形の送信を実行させる、ように構成されている、送信ノード。
【請求項２６】
請求項２５に記載の送信ノードであって、前記送信ノードは、送信ポイント識別子に関連付けられており、前記送信ポイント識別子は、前記送信ポイント識別子に少なくとも部分的に基づいて前記送信される複数の測位基準信号に対して測定を実行するための、前記送信ノードの送信ポイントを識別する、送信ノード。
【請求項２７】
送信ノードにおいて実装される方法であって、前記方法は、
複数の測位基準信号についての構成情報を取得すること（Ｓ１３６）と、
前記取得された構成情報に対応する前記複数の測位基準信号のそれぞれについて波形を決定すること（Ｓ１３８）と、
前記複数の測位基準信号のそれぞれについて決定された波形を送信させること（Ｓ１４０）と、を有する、方法。
【請求項２８】
請求項２７に記載の方法であって、前記送信ノードは、送信ポイント識別子に関連付けられており、当該送信ポイント識別子は、当該送信ポイント識別子に少なくとも部分的に基づいて、前記送信される複数の測位基準信号について測定を実行するための前記送信ノードの送信ポイントを識別する、方法。
【発明の詳細な説明】
【技術分野】
【０００１】
本開示は、無線通信に関し、特に、ビームベースのポジショニング測定および測定報告に関する。
【背景技術】
【０００２】
ポジショニング（測位）は、第３世代パートナーシッププロジェクト（３ＧＰＰ）リリース９規格以降のロングタームエボリューション（ＬＴＥ）標準化におけるトピックとなってきた。１つの目的は、緊急呼のポジショニング（位置特定）のための規制要件を満たすことである。新しい無線（ＮＲ）（「５Ｇ」とも呼ばれる）におけるポジショニングは、たとえば、図１に示されるアーキテクチャによってサポートされてもよい。なお、図１に示されたネットワークノードのｇＮＢとｎｇ−ｅＮＢの両方が存在するとは限らず、ｇＮＢとｎｇ−ｅＮＢの両方のネットワークノードが存在する場合には、ＮＧ−Ｃインターフェースはそれらのうちの一つのみに存在してもよい。
【０００３】
ロケーションマネージメント機能（ＬＭＦ）は、ＮＲ内のロケーションサーバであってもよい。また、たとえば、ＮＲポジショニングプロトコルＡ（ＮＲＰＰａプロトコル）を介して、ロケーションサーバとネットワークノード（たとえば、ｇＮｏｄｅＢ）との間にインターアクション（連係動作）が存在してもよい。ネットワークノードとデバイスとの間のインターアクションは、無線リソース制御（ＲＲＣ）プロトコルを介してサポートされてもよい。
【０００４】
レガシーＬＴＥでは、以下の技術をサポートしうる：
・拡張セルＩＤ：本質的には、デバイス（たとえば、無線デバイス）をサービングセルのサービングエリアに関連付けるためのセル識別子（ＩＤ）情報であるが、より細かい粒度の位置を決定するための追加情報である。
・アシステッドグローバルナビゲーションサテライトシステム（ＧＮＳＳ）：デバイスによって抽出されるＧＮＳＳ情報であり、Ｅ−ＳＭＬＣ（進化型サービングモバイルロケーションセンター）からデバイスに提供される支援情報によってサポートされる。
・観測される到来時間差（ＯＴＤＯＡ）：デバイスは複数の異なる基地局からの基準信号の時間差を推定して、マルチラテレーションのためのＥ−ＳＭＬＣに送信する。
・アップリンクＴＤＯＡ（ＵＴＤＯＡ）：デバイスは、既知の位置にある複数の位置測定ユニット（たとえば、ｅＮＢ）によって検出される特定の波形、すなわち信号、を送信するように要求される。これらの測定結果は、マルチラテレーションのためにＥ−ＳＭＬＣに転送される。
【０００５】
リリース（Ｒｅｌ．）１６のためのＮＲ測位研究項目によれば、３ＧＰＰ ＮＲ無線技術は、拡張されたロケーション能力に関して付加価値を提供するように位置づけられている。低および高周波数帯（すなわち、６ＧＨｚ以下およびそれ以上）での運用と、マッシブアンテナアレイの利用とは、測位精度を改善するために追加の自由度を提供するだろう。低い周波数帯と、とりわけ高い周波数帯とで広い信号帯域幅を使用する可能性は、無線デバイス（ＷＤ）またはユーザ装置（ＵＥ）の位置を突き止めるためにタイミング測定を利用して、ＯＴＤＯＡおよびＵＴＤＯＡ、セルＩＤまたはＥ−セルＩＤなどに基づく周知の測位技法に対して、ユーザ位置特定のための新しい性能限界をもたらすだろう。マッシブアンテナシステム（大規模多入力多出力（ＭＩＭＯ））における最近の進歩は、時間測定と組合せて伝搬チャネルの空間的および角度的領域を利用することにより、より正確なユーザ位置特定を可能にするための追加の自由度を提供できることである。
【０００６】
リリース８のセル固有基準信号（ＣＲＳ）が測位に十分でない可能性があるため、３ＧＰＰリリース９では、たとえばアンテナポート６のために測位基準信号（ＰＲＳ）が導入された。１つの簡単な理由は、検出で必要となる高い確率が保証できなかったからであろう。信号対干渉雑音比（ＳＩＮＲ）が少なくとも−６ｄＢであるとき、その同期信号（１次／２次同期信号）および基準信号を有する隣接セルは、検出可能であると見なされる。標準化中のシミュレーションは、これが、３番目に最良な検出されたセルの全てのケースに対して７０％だけ保障可能であることを示しており、これはすなわち２番目に最良な隣接セルを意味する。これは十分ではなく、実世界のシナリオでは保証できないような干渉のない環境が前提とされてしまっている。しかしながら、ＰＲＳは、３ＧＰＰリリース８で定義されているように、セル固有の基準信号といくらかの類似性を依然として有している。ＰＲＳは、セル固有の基準信号との衝突および制御チャネル（たとえば、物理的ダウンリンク制御チャネル（ＰＤＣＣＨ））との重複を回避するために、周波数および時間のシフトを有する対角パターンでマッピングされる擬似ランダム直交位相シフトキーイング（ＱＰＳＫ）シーケンスであってもよい。
【０００７】
ＬＴＥ標準のＰＲＳは、以下を有する、より古い解決手段と比較して、可聴性（すなわち、弱い隣接セルを検出する能力）を改善するために、３つのレイヤーのアイソレーションを提供するであろう：
１．コードドメイン（符号領域）：  各セルは、（コードドメイン内の他のＰＲＳシーケンスに直交する）異なるＰＲＳシーケンスを送信する。
２．周波数ドメイン：  ＰＲＳは、６の周波数再利用度を有し、すなわち、ＰＲＳ帯域幅内で定義される６つの可能な周波数配置（「周波数オフセット」と呼ばれる）が存在する。２つのセルが同一の周波数オフセットを有する場合、ＰＲＳは周波数ドメインで衝突する。そのような場合、直交ＰＲＳ系列からのアイソレーションは、一方のセルを他方のセルから区別することに役立つ。
３．時間ドメイン：  ＰＲＳが周波数領域で衝突した場合、ミューティング（時間ベースのブランキングなど）により、ＰＲＳの送信機会が再び互いに直交するようになる。
【０００８】
ＮＲでは、ポジショニング（測位）についてまだ規定されていないが、他の目的のために規定された基準信号の一部も測位に利用可能である。一例として、トラッキングのためのチャネル状態情報基準信号（ＣＳＩ ＲＳ）は到来時間（ＴＯＡ）測定に利用可能であろう。３ＧＰＰでは、測位サービスを導入するために、Ｒｅｌ．１６の研究項目が開始されている。これは、既に存在する基準信号および／またはポジショニングのための新しい基準信号の導入につながる可能性がある。しかしながら、様々な基準信号に関する送信、測定および報告が、実際には測位精度にほとんど好影響をもたらさないのに、大きなシグナリングオーバヘッドをもたらすことがある。
【０００９】
特に、送信ポイントのセットについての全てのＰＲＳに対する全てのＲＳＴＤ測定について、ＵＥが、同一の送信ポイントから、たとえば、異なるビームで送信される複数のＰＲＳについて測定するように構成される場合、大きなシグナリングオーバーヘッドが生じる。
【発明の概要】
【００１０】
いくつかの実施形態は、ビームベースのポジショニング測定（測位）および測定報告のための方法および装置を有利に提供する。
【００１１】
本開示の一態様によれば、ネットワークノードは、複数の測位基準信号について無線デバイス（ＷＤ）を構成するための情報を通信するように構成されており、当該通信される情報は、複数の測位基準信号のうちのどれが同一の送信ポイントから送信されるかを少なくとも示す。
【００１２】
本開示の別の態様によれば、ネットワークノードに実装される方法が提供される。本方法は、複数の測位基準信号について無線デバイスを構成するための情報を通信することを有し、当該通信される情報は、複数の測位基準信号のうちのどれが同一の送信ポイントから送信されるかを少なくとも示す。
【００１３】
本開示の別の態様によれば、無線デバイスは、複数の測位基準信号のうちのどれが同一の送信ポイントから送信されるかを示す情報を受信し、同一の送信ポイントから送信される複数の測位基準信号のそれぞれについて測定を行うように構成される。
【００１４】
本開示の別の態様によれば、無線デバイスに実装される方法が提供される。本方法は、複数の測位基準信号のうち、どの測位基準信号が同一の送信ポイントから送信されるかを示す情報を受信し、同一の送信ポイントから送信される複数の測位基準信号のそれぞれに対して測定を行うこと、を有する。
【００１５】
本開示のさらに別の態様によれば、ネットワークノードであってもよい送信ノードは、複数の測位基準信号についてのコンフィギュレーション（構成）情報を取得し、取得された構成情報に対応する複数の測位基準信号のそれぞれについて波形を決定し、複数の測位基準信号のそれぞれについて決定された波形を送信させるように構成される。
【００１６】
本開示のさらに別の態様によれば、送信ノードに実装される方法が提供される。本方法は、複数の測位基準信号についての構成情報を取得することを有する。本方法は、取得された構成情報に対応する複数の測位基準信号のそれぞれについて波形を決定することと、複数の測位基準信号のそれぞれについて決定された波形を送信させることとをさらに有する。
【図面の簡単な説明】
【００１７】
以下の詳細な説明を添付の図面と併せて参照することにより、本開示の実施形態、ならびにその付随する利点および特徴のより完全な理解がより容易に理解されるであろう：
【００１８】
【図１】は、ＮＧ−ＲＡＮ（次世代無線アクセスネットワーク）リリース１５のＬＣＳプロトコルの一例を示す。
【００１９】
【図２】は、送信ポイントから複数のビームを受信する無線デバイス（ＷＤ）の一例を示し、ここで、ＷＤは、ビームごとに受信されるＰＲＳに対して複数の基準信号時間差（ＲＳＴＤ）測定を実行する。
【００２０】
【図３】は、本開示の原理にしたがった、中間ネットワークを介してホストコンピュータに接続された通信システムを示す例示的なネットワークアーキテクチャの概略図である。
【００２１】
【図４】は、本開示のいくつかの実施形態による、少なくとも部分的に無線コネクションを介して無線デバイスとネットワークノードを介して通信するホストコンピュータの構成図である。
【００２２】
【図５】は、本開示のいくつかの実施形態による、無線デバイスにおいてクライアントアプリケーションを実行するためのホストコンピュータ、ネットワークノード、および無線デバイスを有する通信システムにおいて実装される例示的な方法を示すフローチャートである。
【００２３】
【図６】は、本開示のいくつかの実施形態による、無線デバイスにおいてユーザデータを受信するためのホストコンピュータ、ネットワークノード、および無線デバイスを有する通信システムにおいて実装される例示的な方法を示すフローチャートである。
【００２４】
【図７】は、本開示のいくつかの実施形態による、ホストコンピュータ、ホストコンピュータにおいて無線デバイスからユーザデータを受信するためのネットワークノード、および無線デバイスを有する通信システムにおいて実装される例示的な方法を示すフローチャートである。
【００２５】
【図８】は、本開示のいくつかの実施形態による、ホストコンピュータと、ホストコンピュータにおいてユーザデータを受信するためのネットワークノードと、無線デバイスとを有する通信システムにおいて実装される例示的な方法を示すフローチャートである。
【００２６】
【図９】は、本開示のいくつかの実施形態による構成ユニットのためのネットワークノードにおける例示的な処理のフローチャートである。
【００２７】
【図１０】は、本開示のいくつかの実施形態による、構成ユニットのためのネットワークノードにおける代替の例示的な処理のフローチャートである。
【００２８】
【図１１】は、本開示のいくつかの実施形態による測定ユニットのための無線デバイスにおける例示的な処理のフローチャートである。
【発明を実施するための形態】
【００２９】
一対の送信ポイントに対する基準信号時間差（ＲＳＴＤ）測定は、同一の送信ポイントから、たとえば異なるビームで送信される複数のＰＲＳについて測定するようにＷＤが構成される場合については、定義されていない。
【００３０】
さらに、全てのＰＲＳ（たとえば、異なるビームおよび／または異なる送信ポイントに対応する）に対するＲＳＴＤの報告は、測位精度にほとんど、または、全く好影響を及ぼさないのに、大きなシグナリングオーバヘッドおよび／または測定の報告をもたらす可能性がある。
【００３１】
したがって、本開示のいくつかの実施形態は、複数のＰＲＳが、たとえば、異なる送信ビームで、同一の送信ポイントから送信されるときに、ＷＤがどのようにＲＳＴＤ測定を実行し、報告してもよいかを説明する。
【００３２】
いくつかの実施形態によれば、同一のまたは異なる送信ポイントから送信される異なるＰＲＳは、たとえば、時間周波数グリッド内の異なるリソース要素の使用によって、および／または、異なるシーケンスの使用によって、互いに区別されてもよい。
【００３３】
ネットワークの視点から見た簡単な概要：
【００３４】
いくつかの実施形態によれば、ネットワークノードは、本開示ではＰＲＳと呼ばれる、測位に使用するためのいくつかの基準信号についてＷＤを構成（設定）する。ＷＤコンフィギュレーション（構成情報）は、どのＰＲＳが同一の送信ポイントから送信されるかに関する情報を有してもよい。これは、たとえば、各ＰＲＳに送信ポイントＩＤを付与し、このＩＤを、ＰＲＳについてのＷＤのコンフィギュレーションに含めることによってシグナリングされてもよい。代替的に、ネットワークノードを介するようなネットワークは、送信ポイントごとに、その送信ポイントから送信されるＰＲＳのＰＲＳ ＩＤのリストをＷＤに対してシグナリングしてもよい。
【００３５】
いくつかの実施形態によれば、ネットワークノードは、リッチビームベースの測定に関する情報と、１つまたは複数の送信ポイントから送信されたＰＲＳに関連する情報とをＷＤから受信する。この情報に基づいて、ＷＤの位置を推定してもよい。いくつかの実施形態によれば、「リッチビームベースの測定値および情報」という語句が使用されるが、これは、測定値および情報が、たとえば、複数のチャネルタップについての到来時間および／または受信電力および／または到着角度、および／または（たとえば、どの基準信号が測定に使用されたかによって与えられるようなもの）どのビームが測定に使用されたかに関する情報などのリッチチャネル測定値を有してもよいことを意味することに留意されたい。しかしながら、この用語の使用は、測定および情報が、たとえば、送信ポイントのための単一のＴＯＡまたは一対の送信ポイント（送信ポイントペア）のための単一のＲＳＴＤに限定されることを除外しない。さらに、用語の使用は、測定が全セクタ「ビーム」に基づくことも除外しない。
【００３６】
ＷＤの視点から見た簡潔な概要：
【００３７】
いくつかの実施形態によれば、ＷＤは、測位に使用するいくつかの基準信号（たとえば、ＰＲＳ）に関する構成情報を受信する。コンフィグレーションは、同一の送信ポイントからどのＰＲＳが送信されるかに関する情報を含む。
【００３８】
いくつかの実施形態によれば、ＷＤは、リッチビームベースの測定値と、１つまたは複数の送信ポイントに関連する情報とを決定する。
【００３９】
いくつかの実施形態によれば、ＷＤは、決定されたリッチビームベースの測定値および情報をネットワークノードに報告する。
【００４０】
送信ポイントから見た簡単な概要：
【００４１】
ある実施形態によれば、送信ポイント（ＴＰ）は、ネットワークノードから１つ以上のＰＲＳの構成情報を取得する。
【００４２】
ある実施形態によれば、ＴＰは、複数のＰＲＳのための構成をロケーションサーバに提供する。
【００４３】
いくつかの実施形態によれば、送信ポイントは、構成されたＰＲＳのそれぞれについて新しい波形を決定する。
【００４４】
いくつかの実施形態によれば、送信ポイントは、各ＰＲＳの波形を送信する。
【００４５】
ＭＣ（マルチキャリア）とＳＣ（単一キャリア）との両方の波形が５Ｇエアインターフェースのために提案されている。
【００４６】
ＭＣ候補には、サイクリックプレフィックス（ＣＰ）−ＯＦＤＭ、ウインドウ付き（Ｗ）−ＯＦＤＭ、パルス形（Ｐ）−ＯＦＤＭ、ユニークワード（ＵＷ）−ＯＦＤＭ、ユニバーサルフィルタ付き（ＵＦ）−ＯＦＤＭ、およびオフセット直交振幅変調（ＯＱＡＭ）付きフィルタバンクマルチキャリア（ＦＢＭＣ）が含まれ、一方、ＳＣ候補にはＤＦＴ拡散（離散フーリエ変換）−ＯＦＤＭ、およびゼロテール（ＺＴ）−ＤＦＴ−ｓ−ＯＦＤＭが含まれる。その望ましい特徴により、ＣＰ−ＯＦＤＭ波形は現在、ダウンリンク送信用のＬＴＥで使用されている。これらの特徴は、周波数選択性チャネルへの堅牢性、ＭＩＭＯとの容易な統合、非常に良い時間ローカライゼーション、および低複雑性ベースバンドトランシーバ設計を有する。ＯＦＤＭの主な欠点は、ＰＡＰＲが高く、周波数のローカライゼーションが悪いことである。本開示内の実施形態は、上記に列挙された例示的な波形に限定されない。他の波形も実施形態に含まれてもよい。
【００４７】
本開示で提供される原理のいくつかの実施形態は、ＷＤが同一の送信ポイントから送信される複数のＰＲＳで構成される場合にも、一対の送信ポイントのＲＳＴＤ測定が報告されることを可能にする。
【００４８】
いくつかの実施形態によれば、各送信ポイントから送信される複数のビームフォーミングされたＰＲＳに基づくＲＳＴＤ測定は、同一の電力および時間−周波数リソースを使用した場合に、各送信ポイントから送信される単一のＰＲＳに基づく測定よりも、より良いカバレッジ／精度を達成してもよい。
【００４９】
本開示のいくつかの実施形態は、測位精度を改善するために使用してもよい、発射角度に関する追加の情報を与える。
【００５０】
いくつかの実施形態によれば、送信ポイントから異なるビームで送信されるＰＲＳについて推定されるＴＯＡの最小値として、送信ポイントについてのＴＯＡの演算は、結果として生じる三角測量のためのＲＳＴＤ測定値の使用に合わせて、視線（ＬＯＳ）経路のＴＯＡに最も近いと期待できるようなＴＯＡをもたらす。
【００５１】
いくつかの実施形態によれば、（十分に正確なＴＯＡ測定値を与えるのに十分な強度がないために）一部のビームを除外することは、たとえば、チャンネルタップのためにノイズまたは干渉を誤ることによって、送信ポイントに関するＴＯＡを過小評価するリスクを低減してもよい。
【００５２】
いくつかの実施形態によれば、受信されたＲＳＴＤ／ＴＯＡ測定結果、またはより一般的には、リッチビームに基づく測定および情報を、位置推定のために、および／またはＰＲＳおよびＰＲＳビームを最適化および再構成するために使用してもよい。
【００５３】
例示的な実施形態を詳細に説明する前に、実施形態は、主に、ビームベースの測位（位置測定）および測定報告に関連する装置構成要素および処理ステップの組合せにあることに留意されたい。したがって、構成要素は、図面中の従来の記号によって適切に表されているが、本開示の説明の恩恵を受ける当業者にとって容易に明らかな詳細によって本開示を不明瞭にしないように、実施形態の理解に関係する特定の詳細のみが示される。
説明全体を通して、同様の番号は同様の要素を指す。
【００５４】
本開示で使用されるように、「第１の」および「第２の」、「トップ」および「ボトム」などの関係用語は、必ずしもそのようなエンティティまたは要素間の物理的または論理的関係または順序を必要とせず、または暗示することもなく、１つのエンティティまたは要素を別のエンティティまたは要素から区別するためにのみ使用されうる。本開示で使用される用語は、特定の実施形態を説明するためだけのものであり、本開示で使用される場合、単数形「ａ」、「ａｎ」および「ｔｈｅ」は、文脈がそうでないことを明確に示さない限り、複数形も有することを意図する。本開示で使用される場合、用語「含む」、「備える」、「有する」および／または「有している」は、述べられた特徴、整数、ステップ、動作、要素、および／または構成要素の存在を指定するが、１つまたは複数の他の特徴、整数、ステップ、動作、要素、構成要素、および／ そのグループの存在を除外するものではない。
【００５５】
本開示で説明される実施形態によれば、「と通信している」などの結合用語は、たとえば、物理的接触、誘導、電磁放射、無線シグナリング、赤外線シグナリング、または光信号シグナリングによって達成されてもよい、電気通信またはデータ通信を示すために使用されうる。当業者は、複数の構成要素がインターアクションすることができ、電気通信およびデータ通信を達成するための修正および変形が可能であることを理解するであろう。
【００５６】
本開示で説明されるいくつかの実施形態によれば、「結合された」、「接続された」などの語は、必ずしも直接的ではないが、コネクションを示すために本開示で使用されてもよく、有線および／または無線コネクションを含んでもよい。
【００５７】
本開示で使用される「ネットワークノード」という用語は、基地局（ＢＳ）、無線基地局、ベーストランシーバ局（ＢＴＳ）、基地局コントローラ（ＢＳＣ）、無線ネットワークコントローラ（ＲＮＣ）、ｇノードB （ｇＮＢ）、進化型ノードB （ｅＮＢまたはｅＮｏｄｅＢ）、ノードＢ、ＭＳＲ ＢＳなどのマルチスタンダード無線（ＭＳＲ）無線ノード、マルチセル／マルチキャスト調整エンティティ（ＭＣＥ）、リレーノード、ドナーノード制御リレー、無線アクセスポイント（ＡＰ）、送信ポイント、送信ノード、遠隔無線ユニット（ＲＲＵ）、遠隔無線ヘッド（ＲＲＨ）、コアネットワークノード（たとえば、モバイル管理エンティティ（ＭＭＥ）、自己組織化ネットワーク（ＳＯＮ）ノード、調整ノード、測位ノード、ＭＤＴノードなど）、外部ノード（たとえば、第３者ノード、現在のネットワークの外部のノード）、分散アンテナシステム（ＤＡＳ）、スペクトルアクセスシステム（ＳＡＳ）ノード、要素管理システム（ＥＭＳ）等のノードなどのいずれかをさらに備えることができる、無線ネットワークに含まれる任意の種類のネットワークノードとしてもよい。ネットワークノードはまた、試験装置を含んでもよい。本開示で使用される「無線ノード」という語は、無線デバイス（ＷＤ）または無線ネットワークノードなどの無線デバイス（ＷＤ）を示すためにも使用されてもよい。
【００５８】
いくつかの実施形態によれば、ネットワークノードは、送信ノードであってもよく、複数のビームをＷＤに送信するための少なくとも１つ（または複数）の送信ポイントを含んでもよい。いくつかの実施形態によれば、送信ポイントは、たとえば、ＷＤのための協調マルチポイント（ＣｏＭＰ）運用に関与してもよい。いくつかの実施形態によれば、送信ポイントは、他の構成を有してもよい。
【００５９】
いくつかの実施形態によれば、無線デバイス（ＷＤ）またはユーザ装置（ＵＥ）という非限定的な用語は、置換可能に使用される。本開示のＷＤは、無線デバイス（ＷＤ）などの無線信号を介してネットワークノードまたは別のＷＤと通信してもよい任意の種類の無線デバイスであってもよい。ＷＤはまた、無線通信デバイス、ターゲットデバイス、デバイスツーデバイス（Ｄ２Ｄ） ＷＤ、マシン間通信（Ｍ２Ｍ）が可能なマシンタイプＷＤまたはＷＤ、低コストおよび／または低複雑度ＷＤ、ＷＤを装備したセンサ、タブレット、モバイル端末、スマートフォン、ラップトップ埋め込み型（ＬＥＥ）、ラップトップ搭載機器（ＬＭＥ）、ＵＳＢドングル、顧客構内機器（ＣＰＥ）、ＩｏＴ（もののインターネット）デバイス、またはＮＢ−ＩＯＴ（ナローバンドＩｏＴ）デバイスなどであってもよい。
【００６０】
また、いくつかの実施形態によれば、一般的な用語「無線ネットワークノード」が使用される。これは、基地局、無線基地局、ベーストランシーバ局、基地局制御装置、ネットワーク制御装置、ＲＮＣ、進化型ノードＢ（ｅＮＢ）、ノードＢ、ｇＮＢ、マルチセル／マルチキャストコーディネーション（調整）エンティティ（ＭＣＥ）、中継ノード、アクセスポイント、無線アクセスポイント、遠隔無線ユニット（ＲＲＵ）遠隔無線ヘッド（ＲＲＨ）のいずれかを有してもよい任意の種類の無線ネットワークノードとしてもよい。
【００６１】
本開示では、たとえば、３ＧＰＰ ＬＴＥおよび／または新しい無線（ＮＲ）などの１つの特定の無線システムからの用語を使用してもよいが、これは、本開示の範囲を前述のシステムのみに限定するものと見なされるべきではないことに留意されたい。広帯域符号分割多元接続（ＷＣＤＭＡ（登録商標））、マイクロ波アクセスのための世界的相互運用性（ＷｉＭａｘ）、ウルトラモバイルブロードバンド（ＵＭＢ）、およびモバイル通信のための世界的システム（ＧＳＭ）を有するが、これらに限定されない他の無線システムも、本開示に含まれるアイデアを活用することから利益を得ることができる。
【００６２】
さらに、無線デバイスまたはネットワークノードによって実行されるとして本開示に記載される機能は、複数の無線デバイスおよび／またはネットワークノード上に分散されてもよいことに留意されたい。言い換えると、本開示で説明されるネットワークノードおよび無線デバイスの機能は、単一の物理デバイスによる性能に限定されず、実際には、いくつかの物理デバイス間で分散させることができることが企図されている。
【００６３】
別段の定義がない限り、本開示で使用されるすべての用語（技術用語および科学用語を有する）は、本開示が属する技術分野の当業者によって一般に理解されるものと同一の意味を有する。さらに、本開示で使用される用語は、本開示および関連技術の文脈におけるそれらの意味と一致する意味を有すると解釈されるべきであり、本開示で明示的に定義されない限り、理想化されたまたは過度に形式的な意味で解釈されないことが理解されるであろう。
【００６４】
図面を参照すると、図３には、無線アクセスネットワークなどのアクセスネットワーク１２と、コアネットワーク１４とを備える、ＬＴＥおよび／またはＮＲ （５Ｇ）などの規格を支援してもよい３ＧＰＰタイプのセルラネットワークなどの一実施形態による通信システム１０の概略図が示されている。アクセスネットワーク１２は、ＮＢ、ｅＮＢ、ｇＮＢまたは他の種類の無線アクセスポイントのような複数のネットワークノード１６ａ、１６ｂ、１６ｃ（総称してネットワークノード１６と呼ぶ）を備え、それぞれが対応するカバレッジエリア１８ａ、１８ｂ、１８ｃ（総称してカバレッジエリア１８と呼ぶ）を規定する。それぞれのネットワークノード１６ａ、１６ｂ、１６ｃは、有線または無線コネクション２０を介してコアネットワーク１４に接続可能である。カバレッジエリア１８ａに配置された第１の無線デバイス（ＷＤ）２２ａは、対応するネットワークノード１６ｃに無線で接続するか、またはそれによってページングされるように構成される。カバレッジエリア１８ｂ内の第２のＷＤ２２ｂは、対応するネットワークノード１６ａに無線接続可能である。複数のＷＤ２２ａ、２２ｂ（まとめて無線デバイス２２と呼ぶ）がこの実施例に示されているが、開示された実施形態は、唯一のＷＤがカバレッジエリア内にある場合、または唯一のＷＤが対応するネットワークノード１６に接続している場合にも同様に適用可能である。便宜上、２つのＷＤ２２および３つのネットワークノード１６のみが示されているが、通信システムは、より多くのＷＤ２２およびネットワークノード１６を含んでもよいことに留意されたい。
【００６５】
また、ＷＤ２２は、２つ以上のネットワークノード１６および２つ以上の種類のネットワークノード１６と同時に通信し、および／または別々に通信するように構成可能であることが企図されている。たとえば、ＷＤ２２は、ＬＴＥをサポートするネットワークノード１６と、ＮＲをサポートする同一または別のネットワークノード１６とのデュアルコネクティビティ（二重接続）を有してもよい。一例として、ＷＤ２２は、ＬＴＥ／Ｅ−ＵＴＲＡＮのためのｅＮＢおよびＮＲ／ＮＧ−ＲＡＮのためのｇＮＢと通信してもよい。
【００６６】
通信システム１０は、それ自体がホストコンピュータ２４に接続されてもよく、これは、スタンドアロンサーバ、クラウド実装サーバ、分散サーバ、またはサーバファーム内の処理リソースとしてのハードウェアおよび／またはソフトウェアに具現化されてもよい。ホストコンピュータ２４は、サービスプロバイダの所有権または制御下にあってもよいし、サービスプロバイダによって、またはサービスプロバイダの代わりに運用されてもよい。通信システム１０とホストコンピュータ２４との間のコネクション２６、２８は、コアネットワーク１４からホストコンピュータ２４に直接的に伸びてもよく、あるいはオプションの中間ネットワーク３０を介して伸びてもよい。中間ネットワーク３０は、パブリックネットワーク、プライベートネットワーク、またはホストネットワークのうちの１つ、または２つ以上の組合せとしてもよい。中間ネットワーク３０は、もしあれば、バックボーンネットワークまたはインターネットであってもよい。いくつかの実施形態によれば、中間ネットワーク３０は、２つ以上のサブネットワーク（図示せず）を有してもよい。
【００６７】
図３の通信システムは、全体として、接続されたＷＤ２２ａ、２２ｂの１つとホストコンピュータ２４との間の接続を可能にする。接続性は、オーバーザトップ（ｏｖｅｒ−ｔｈｅ−ｔｏｐ）（ＯＴＴ）コネクションとして説明されてもよい。ホストコンピュータ２４および接続されたＷＤ２２ａ、２２ｂは、アクセスネットワーク１２、コアネットワーク１４、任意の中間ネットワーク３０、および考えられる他のインフラストラクチャ（図示せず）を媒介として使用して、ＯＴＴコネクションを介してデータを通信する、および／または、シグナリングするように構成される。ＯＴＴコネクションは、ＯＴＴコネクションが通過する参加通信装置の少なくともいくつかが、アップリンク通信およびダウンリンク通信の経路指定に気付かないという意味で、トランスペアレントであってもよい。たとえば、ネットワークノード１６は、接続されたＷＤ２２ａに転送される（たとえば、ハンドオーバされる）ホストコンピュータ２４から発信されたデータを有して到来してくるダウンリンク通信の過去のルーティングに関して通知されても、されなくてなくてもよい。同様に、ネットワークノード１６は、ＷＤ２２ａからホストコンピュータ２４に向かって発信される外向アップリンク通信の将来のルーティングを意識する必要はない。
【００６８】
ネットワークノード１６は、複数の測位基準信号についてＷＤ２２を構成するための情報を通信するように構成された構成ユニット３２を有するように構成され、ここで、通信される情報は、少なくとも複数の測位基準信号のうちのどれが同一の送信ポイントから送信されるかを示す。
【００６９】
いくつかの実施形態によれば、ネットワークノード１６は、送信ポイントを有することができ、送信ノードと見なされてもよい。このような実施形態によれば、ネットワークノード１６は、複数の測位基準信号についての構成情報を取得し、取得された構成情報に対応する複数の測位基準信号のそれぞれについて波形を決定し、複数の測位基準信号についての決定された各波形の送信を実行さえるように構成された構成ユニット３２を含んでもよい。
【００７０】
ネットワークノードは、送信ポイント（ＴＰ）を有してもよい。送信ポイントは、２つ以上のアンテナを有する多入力多出力（ＭＩＭＯ）アンテナとされうるアンテナを有してもよい。これにより、ネットワークノードと送信ポイントを介して、サービスへのアクセスと、サービスネットワークのデータ交換とが可能となる。
【００７１】
無線デバイス２２は、複数の測位基準信号のうち、どれが同一の送信ポイントから送信されるかを示す情報を受信し、同一の送信ポイントから送信される複数の測位基準信号のそれぞれについて測定を行うように構成された測定ユニット３４を備えるように構成されている。
【００７２】
先の段落で論じたＷＤ２２、ネットワークノード１６、およびホストコンピュータ２４の、一実施形態による例示的な実装が、図２に関連して以下で説明される。通信システム１０において、ホストコンピュータ２４は、通信システム１０の別の通信装置のインターフェースと有線または無線コネクションをセットアップし維持するように構成された通信インターフェース４０を有するハードウェア（ＨＷ）３８を備える。ホストコンピュータ２４は、記憶および/またはプロセッシング（処理）能力を有してもよいプロセッシング回路４２をさらに有する。プロセッシング回路４２は、プロセッサ４４およびメモリ４６を有してもよい。特に、中央演算処理装置などのプロセッサおよびメモリに加えて、またはその代わりに、プロセッシング回路４２は、処理および／または制御のための集積回路、たとえば、命令を実行するように適合した１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ４４は、メモリ４６にアクセス（たとえば、書き込みおよび／または読み出し）するように構成されることができ、これは、任意の種類の揮発性メモリ、たとえば、キャッシュメモリおよび／またはバッファメモリおよび／またはＲＡＭ（ランダムアクセスメモリ）および／またはＲＯＭ （読み出し専用メモリ）および／または光メモリおよび／またはＥＰＲＯＭ（消去可能プログラマブル読み出し専用メモリ）を有してもよい。
【００７３】
プロセッシング回路４２は、本開示で説明される方法および／またはプロセスのいずれかを制御するように、および／またはそのような方法および／またはプロセスを、たとえばホストコンピュータ２４によって実行させるように構成されてもよい。プロセッサ４４は、本開示に記載するホストコンピュータ２４の機能を実行するための１つ以上のプロセッサ４４に対応する。ホストコンピュータ２４は、本開示に記載するデータ、プログラムによるソフトウェアコードおよび／またはその他の情報を記憶するように構成されるメモリ４６を有する。いくつかの実施形態によれば、ソフトウェア４８および／またはホストアプリケーション５０は、プロセッサ４４および／またはプロセッシング回路４２によって実行されると、プロセッサ４４および／またはプロセッシング回路４２に、ホストコンピュータ２４に関して本開示で説明されるプロセスを実行させる命令を有してもよい。命令は、ホストコンピュータ２４に関連するソフトウェアであってもよい。
【００７４】
ソフトウェア４８は、プロセッシング回路４２によって実行可能であってもよい。ソフトウェア４８は、ホストアプリケーション５０を有する。ホストアプリケーション５０は、ＷＤ２２およびホストコンピュータ２４で終端するＯＴＴコネクション５２を介して接続するＷＤ２２のようなリモートユーザにサービスを提供するように動作可能である。リモートユーザにサービスを提供する際に、ホストアプリケーション５０は、ＯＴＴコネクション５２を使用して送信されるユーザデータを提供してもよい。「ユーザデータ」は、記述された機能を実施するものとして本開示に記載されるデータおよび情報であってもよい。一実施形態によれば、ホストコンピュータ２４は、サービスプロバイダに制御および機能を提供するように構成することができ、サービスプロバイダによって、またはサービスプロバイダの代わりに操作してもよい。ホストコンピュータ２４のプロセッシング回路４２は、ホストコンピュータ２４が、ネットワークノード１６および／または無線デバイス２２を監視、監視、制御、送信および／または受信することを可能にし得る。ホストコンピュータ２４のプロセッシング回路４２は、サービスプロバイダーがネットワークノード１６および／または無線デバイス２２を監視、監視、制御、送信および／または受信することを可能にするように構成されたモニタユニット５４を含んでもよい。
【００７５】
通信システム１０は、さらに、通信システム１０に設けられ、ホストコンピュータ２４およびＷＤ２２との通信を可能にするハードウェア５８を有するネットワークノード１６を有する。ハードウェア５８は、通信システム１０の異なった通信装置のインターフェースと有線または無線コネクションをセットアップおよび維持するための通信インターフェース６０と、ネットワークノード１６によって提供されるカバレッジエリア１８内に配置されたＷＤ２２との少なくとも無線コネクション６４をセットアップおよび維持するための無線インターフェース６２とを含んでもよい。無線インターフェース６２は、たとえば、１つ以上のＲＦ送信機、１つ以上のＲＦ受信機、および／または１つ以上のＲＦトランシーバとして形成されてもよく、またはそれらを含んでもよい。通信インターフェース６０は、ホストコンピュータ２４へのコネクション６６を容易にするように構成されてもよい。コネクション６６は、直接的であってもよいし、通信システム１０のコアネットワーク１４を通過してもよいし、および／または通信システム１０の外部の１つ以上の中間ネットワーク３０を通過してもよい。
【００７６】
図示の実施形態によれば、ネットワークノード１６のハードウェア５８は、プロセッシング回路６８をさらに有する。プロセッシング回路６８は、プロセッサ７０およびメモリ７２を有してもよい。特に、中央演算処理装置およびメモリなどのプロセッサに加えて、またはその代わりに、プロセッシング回路６８は、処理および／または制御のための集積回路、たとえば、命令を実行するように適合された１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ７０は、任意の種類の揮発性および／または不揮発性メモリ、たとえば、キャッシュメモリおよび／またはバッファメモリおよび／またはＲＡＭ （ランダムアクセスメモリ）および／またはＲＯＭ （読み取り専用メモリ）および／または光メモリおよび／またはＥＰＲＯＭ（消去可能プログラマブル読み取り専用メモリ）を有するメモリ７２にアクセス（たとえば、書き込みおよび／または読み出し）するように構成してもよい。
【００７７】
したがって、ネットワークノード１６はさらに、ソフトウェア７４を、たとえばメモリ７２内に内部的に記憶するか、または外部コネクションを介してネットワークノード１６によってアクセス可能な外部メモリ（たとえば、データベース、記憶アレイ、ネットワーク記憶装置等）に記憶する。ソフトウェア７４は、プロセッシング回路６８によって実行可能であってもよい。プロセッシング回路６８は、本開示に記載される方法および／またはプロセスのいずれかを制御するように、および／またはそのような方法および／またはプロセスを、たとえばネットワークノード１６によって実行させるように構成されてもよい。プロセッサ７０は、本開示に記載されるネットワークノード１６の機能を実行するための１つ以上のプロセッサ７０に対応する。メモリ７２は、データ、プログラムによるソフトウェアコードおよび／または本開示に記載する他の情報を記憶するように構成される。いくつかの実施形態によれば、ソフトウェア７４は、プロセッサ７０および／またはプロセッシング回路６８によって実行されると、プロセッサ７０および／またはプロセッシング回路６８に、ネットワークノード１６に関して本開示で説明されるプロセスを実行させる命令を有してもよい。たとえば、ネットワークノード１６のプロセッシング回路６８は、複数の測位基準信号についてＷＤ２２を構成するように情報を通信するように構成された構成ユニット３２を含んでもよく、通信された情報は、複数の測位基準信号のうちの少なくともどれが同一の送信ポイントから送信されるかを示す。
【００７８】
いくつかの実施形態によれば、通信された情報は、複数の測位基準信号のそれぞれに対する送信ポイント識別子を有し、送信ポイント識別子は、対応する測位基準信号の送信ポイントを特定（識別）する。いくつかの実施形態によれば、プロセッシング回路６８は、さらに、ＷＤ２２からの基準信号時間差（ＲＳＴＤ）測定に対応する情報を受信するように構成され、ここでＲＳＴＤは、複数の測位基準信号に対して実施される測定に少なくとも部分的に基づいており、受信された情報に基づいて、ＷＤ２２の位置を推定する。いくつかの実施形態によれば、受信された情報は、複数の測位基準信号のうちのどれが最低の測定された到来時間を有するかを識別する少なくとも情報を有する。
【００７９】
また、通信システム１０は、上述したＷＤ２２を備えている。ＷＤ２２は、ＷＤ２２が現在配置されているカバレッジエリア１８にサービスを提供するネットワークノード１６との無線コネクション６４をセットアップして維持するように構成された無線インターフェース８２を含んでもよいハードウェア８０を有してもよい。無線インターフェース８２は、たとえば、１つ以上のＲＦ送信機、１つ以上のＲＦ受信機、および／または１つ以上のＲＦトランシーバ（送受信機）として形成されてもよく、またはそれらを含んでもよい。
【００８０】
ＷＤ２２のハードウェア８０は、プロセッシング回路８４をさらに有する。プロセッシング回路８４は、プロセッサ８６およびメモリ８８を有してもよい。特に、中央演算処理装置などのプロセッサおよびメモリに加えて、またはその代わりに、プロセッシング回路８４は、処理および／または制御のための集積回路、たとえば、命令を実行するように適合された１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ８６は、メモリ８８へのアクセス（たとえば、書き込みおよび／または読み出し）を行うように構成されることができ、これは、任意の種類の揮発性メモリ、たとえば、キャッシュメモリおよび／またはバッファメモリおよび／またはＲＡＭ（ランダムアクセスメモリ）および／またはＲＯＭ（読み出し専用メモリ）および／または光メモリおよび／またはＥＰＲＯＭ（消去可能なプログラマブル読み出し専用メモリ）を有してもよい。
【００８１】
したがって、ＷＤ２２は、たとえばＷＤ２２のメモリ８８に記憶されるか、またはＷＤ２２によってアクセス可能な外部メモリ（たとえば、データベース、ストレージアレイ、ネットワークストレージデバイスなど）に記憶されるソフトウェア９０をさらに備えることができる。ソフトウェア９０は、プロセッシング回路８４によって実行可能であってもよい。ソフトウェア９０は、クライアントアプリケーション９２を含んでもよい。クライアントアプリケーション９２は、ホストコンピュータ２４のサポートと共に、ＷＤ２２を介して人間または非人間のユーザにサービスを提供するように動作可能である。ホストコンピュータ２４において、実行中のホストアプリケーション５０は、ＷＤ２２およびホストコンピュータ２４で終端するＯＴＴコネクション５２を介して、実行中のクライアントアプリケーション９２と通信してもよい。ユーザにサービスを提供する際に、クライアントアプリケーション９２は、ホストアプリケーション５０から要求データを受信し、要求データに応答してユーザデータを提供してもよい。ＯＴＴコネクション５２は、リクエストデータとユーザデータの両方を転送してもよい。クライアントアプリケーション９２は、ユーザと対話して、ユーザが提供するユーザデータを生成してもよい。
【００８２】
プロセッシング回路８４は、本開示で説明される方法および／またはプロセスのいずれかを制御するように、および／またはそのような方法および／またはプロセスを、たとえばＷＤ２２によって実行させるように構成されてもよい。プロセッサ８６は、本開示に記載するＷＤ２２機能を実行するための１つ以上のプロセッサ８６に対応する。ＷＤ２２は、データ、プログラムによるソフトウェアコードおよび／または本開示に記載する他の情報を記憶するように構成されたメモリ８８を有する。いくつかの実施形態によれば、ソフトウェア９０および／またはクライアントアプリケーション９２は、プロセッサ８６および／またはプロセッシング回路８４によって実行されると、プロセッサ８６および／またはプロセッシング回路８４にＷＤ２２に関して本開示で説明されるプロセスを実行させる命令を有してもよい。たとえば、無線デバイス２２のプロセッシング回路８４は、複数の測位基準信号のうちのどれが同一の送信ポイントから送信されるかを示す情報を受信し、同一の送信ポイントから送信される複数の測位基準信号のそれぞれについて測定を実行するように構成された測定ユニット３４を含んでもよい。
【００８３】
いくつかの実施形態によれば、プロセッシング回路８４は、各送信ポイントに対して、同一の送信ポイントから測位基準信号について測定されたＴＯＡの最小ＴＯＡとして到来時間（ＴＯＡ）を算出し、少なくとも一対の送信ポイントにおける各送信ポイントについて算出されたＴＯＡに基づいて、少なくとも一対の送信ポイントについての基準信号時間差（ＲＳＴＤ）を算出するように構成されることによって、測定を実行するように構成される。いくつかの実施形態によれば、プロセッシング回路８４は、さらに、少なくとも一対の送信ポイントについて演算されたＲＳＴＤを、ネットワークノード１６に報告するように構成される。いくつかの実施形態によれば、レポート（報告）は、少なくとも、複数の測位基準信号のうちのどれが最小の測定された到来時間を有するかを識別する情報を有する。
【００８４】
いくつかの実施形態によれば、ネットワークノード１６、ＷＤ２２、およびホストコンピュータ２４の内部動作は、図４に示されるようなものであってもよく、独立して、周囲のネットワークトポロジは、図３のものであってもよい。
【００８５】
図４において、ＯＴＴコネクション５２は、ネットワークノード１６を介したホストコンピュータ２４と無線デバイス２２との間の通信を示すために抽象的に描かれているが、いかなる中間装置や、これらの装置を介したメッセージの正確なルーティングも明示的に参照されていない。ネットワークインフラストラクチャは、ＷＤ２２から、またはホストコンピュータ２４を運用するサービスプロバイダから、あるいはその両方から隠すように構成されてもよい、ルーティングを決定してもよい。ＯＴＴコネクション５２がアクティブな間、ネットワークインフラストラクチャは、（たとえば、ロードバランシングの考慮またはネットワークの再構成に基づいて）ルーティングを動的に変更する決定をさらに行うことができる。
【００８６】
ＷＤ２２とネットワークノード１６との間の無線コネクション６４は、本開示全体にわたって説明される実施形態の教示に従う。様々な実施形態のうちの１つまたは複数は、無線コネクション６４が最後の区間を形成してもよいＯＴＴコネクション５２を使用して、ＷＤ２２に提供されるＯＴＴサービスの性能を改善する。より正確には、これらの実施形態のいくつかの教示は、データ速度、レイテンシー（遅延時間）、および／または電力消費を改善することができ、それによって、ユーザ待ち時間の削減、ファイルサイズに対する制限の緩和、応答性の向上、バッテリ寿命の延長などの利点をもたらす。
【００８７】
いくつかの実施形態によれば、１つまたは複数の実施形態が改善するデータ速度、レイテンシー、および他の要因を監視する目的で、測定手順を提供してもよい。さらに、測定結果のばらつきに応じて、ホストコンピュータ２４とＷＤ２２との間でＯＴＴコネクション５２を再構成するための任意の回路ネットワーク機能があってもよい。ＯＴＴコネクション５２を再構成するための測定手順および／または回路ネットワーク機能は、ホストコンピュータ２４のソフトウェア４８またはＷＤ２２のソフトウェア９０、あるいはその両方により実装されてもよい。実施形態によれば、センサ（図示せず）は、ＯＴＴコネクション５２が通過する通信デバイスに、またはそれに関連して配備されてもよく、センサは、上記で例示された監視量の値を供給することによって、またはソフトウェア４８、９０が監視量を演算または推定してもよい他の物理量の値を供給することによって、測定手続に関与してもよい。ＯＴＴコネクション５２の再構成は、メッセージフォーマット、再送信設定、好ましい経路指定などを有することができ、再構成は、ネットワークノード１６に影響を及ぼす必要はなく、ネットワークノード１６には知られていないか、または知覚できないことがある。いくつかのそのようなプロシージャおよび機能性は、当技術分野で知られており、実施されていてもよい。ある実施形態によれば、測定は、スループット、伝搬時間、遅延時間などのホストコンピュータ２４による測定を容易にする独自のＷＤシグナリングを有してもよい。いくつかの実施形態によれば、測定は、ソフトウェア４８、９０が、伝搬時間、エラーなどを監視している間に、ＯＴＴコネクション５２を使用して、メッセージ、特に空または「ダミー」メッセージを送信させることによって実施してもよい。
【００８８】
したがって、いくつかの実施形態によれば、ホストコンピュータ２４は、ユーザデータを提供するように構成されたプロセッシング回路４２と、ＷＤ２２に送信するためにユーザデータをセルラネットワークに転送するように構成された通信インターフェース４０とを有する。ある実施形態によれば、セルラネットワークはまた、無線インターフェース６２を備えたネットワークノード１６を有する。いくつかの実施形態によれば、ネットワークノード１６は、ＷＤ２２への送信の準備／開始／維持／サポート／終了、および／またはＷＤ２２からの送信の受信において準備／終端／維持／サポート／終了のために、本開示に記載される機能および／または方法を実行するように構成され、および／またはネットワークノード１６のプロセッシング回路６８は構成される。
【００８９】
いくつかの実施形態によれば、ホストコンピュータ２４は、プロセッシング回路４２と、ＷＤ２２からネットワークノード１６への送信から生じるユーザデータを受信するように構成された通信インターフェース４０に構成された通信インターフェース４０とを有する。いくつかの実施形態によれば、ＷＤ２２は、ネットワークノード１６への送信を準備／開始／維持／サポート／終了するため、および／またはネットワークノード１６からの送信の受信を準備／終端／維持／サポート／終了するために、本開示で説明される機能および／または方法を実行するように構成されているか、および／またはそのように構成されている無線インターフェース８２および／またはプロセッシング回路８４を備える。
【００９０】
図３および図４は、構成ユニット３２、および測定ユニット３４などのさまざまな「ユニット」をそれぞれのプロセッサ内にあるものとして示しているが、これらのユニットは、そのユニットの一部がプロセッシング回路内の対応するメモリに記憶されるように実装されてもよいと考えられる。言い換えれば、ユニットは、プロセッシング回路内のハードウェアまたはハードウェアとソフトウェアとの組合せで実装されてもよい。
【００９１】
図５は、一実施形態による、たとえば、図３および図４の通信システムなどの通信システムにおいて実施される例示的な方法を示すフローチャートである。通信システムは、ホストコンピュータ２４と、ネットワークノード１６と、図４に関連して説明されたものとしてもよいＷＤ２２とを有してもよい。本方法の最初のステップでは、ホストコンピュータ２４はユーザデータを提供する（ブロックＳ１００）。最初のステップのオプションのサブステップにおいて、ホストコンピュータ２４は、たとえばホストアプリケーション７４のようなホストアプリケーションを実行することによって、ユーザデータを提供する（ブロックＳ１０２）。第２のステップでは、ホストコンピュータ２４は、ユーザデータをＷＤ２２に搬送する送信を開始する（ブロックＳ１０４）。オプションの第３のステップでは、ネットワークノード１６は、本開示の全体にわたって説明される実施形態の教示に従って、ホストコンピュータ２４が開始した送信で搬送されたユーザデータをＷＤ２２に送信する（ブロックＳ１０６）。オプションの第４のステップでは、ＷＤ２２は、ホストコンピュータ２４によって実行されるホストアプリケーション７４に関連する、たとえばクライアントアプリケーション１１４のようなクライアントアプリケーションを実行する（ブロックＳ１０８）。
【００９２】
図６は、一実施形態による、たとえば、図３の通信システムなどの通信システムにおいて実施される例示的な方法を示すフローチャートである。通信システムは、ホストコンピュータ２４と、ネットワークノード１６と、図３および図４に関連して説明されたものであってもよいＷＤ２２とを含んでいてもよい。本方法の最初のステップでは、ホストコンピュータ２４はユーザデータを提供する（ブロックＳ１１０）。オプションのサブステップ（図示せず）において、ホストコンピュータ２４は、たとえばホストアプリケーション７４のようなホストアプリケーションを実行することにより、ユーザデータを提供する。第２のステップでは、ホストコンピュータ２４は、ユーザデータをＷＤ２２に搬送する送信を開始する（ブロックＳ１１２）。トランスミッションは、本開示の全体にわたって説明される実施形態の教示に従って、ネットワークノード１６を介して通過してもよい。オプションの第３のステップでは、ＷＤ２２は、送信で搬送されたユーザデータを受信する（ブロックＳ１１４）。
【００９３】
図７は、一実施形態による、たとえば、図３の通信システムなどの通信システムにおいて実施される例示的な方法を示すフローチャートである。通信システムは、ホストコンピュータ２４と、ネットワークノード１６と、図３および図４に関連して説明されたものであってもよいＷＤ２２とを含んでいてもよい。この方法のオプションの第１のステップでは、ＷＤ２２は、ホストコンピュータ２４によって提供される入力データを受信する（ブロックＳ１１６）。第１のステップのオプションのサブステップにおいて、ＷＤ２２はクライアントアプリケーション１１４を実行し、これはホストコンピュータ２４によって提供される受信された入力データに応答してユーザデータを提供する（ブロックＳ１１８）。追加的にまたは代替的に、オプションの第２のステップにおいて、ＷＤ２２は、ユーザデータを提供する（ブロックＳ１２０）。第２のステップのオプションのサブステップでは、ＷＤは、たとえば、クライアントアプリケーション１１４のようなクライアントアプリケーションを実行することによって、ユーザデータを提供する（ブロックＳ１２２）。ユーザデータを提供する際に、実行されたクライアントアプリケーション１１４は、ユーザから受信されたユーザ入力をさらに考慮してもよい。ユーザデータが提供された特定の方法にかかわらず、ＷＤ２２は、オプションの第３のサブステップにおいて、ユーザデータのホストコンピュータ２４への送信を開始してもよい（ブロックＳ１２４）。本方法の第４のステップでは、ホストコンピュータ２４は、本開示全体にわたって説明される実施形態の教示に従って、ＷＤ２２から送信されたユーザデータを受信する（ブロックＳ１２６）。
【００９４】
図８は、一実施形態による、たとえば、図３の通信システムなどの通信システムにおいて実施される例示的な方法を示すフローチャートである。通信システムは、ホストコンピュータ２４と、ネットワークノード１６と、図３および図４に関連して説明されたものであってもよいＷＤ２２とを含んでいてもよい。本方法の任意の第１段階において、本開示全体にわたって説明された実施形態の教示に従って、ネットワークノード１６は、ＷＤ２２からユーザデータを受信する（ブロックＳ１２８）。オプションの第２のステップでは、ネットワークノード１６は、受信したユーザデータのホストコンピュータ２４への送信を開始する（ブロックＳ１３０）。第３のステップでは、ホストコンピュータ２４は、ネットワークノード１６によって開始された送信で搬送されるユーザデータを受信する（ブロックＳ１３２）。
【００９５】
図９は、本開示のいくつかの実施形態によるネットワークノード１６における例示的な処理のフローチャートである。該方法は、構成ユニット３２および無線インターフェース６２および／または通信インターフェース６０のようなインターフェースを介して、複数の測位基準信号について無線デバイス（ＷＤ）２２を構成するための情報を通信すること（ブロックＳ１３４）を有し、ここで通信される情報は、少なくとも複数の測位基準信号のうちのどれが同一の送信ポイントから送信されるかを示す。
【００９６】
いくつかの実施形態によれば、通信された情報は、複数の測位基準信号のそれぞれに対する送信ポイント識別子を有し、ここで、送信ポイント識別子は、対応する測位基準信号の送信ポイントを識別する。いくつかの実施形態によれば（ブロックＳ１３５ａ）、この方法は、ＷＤ２２からの基準信号時間差（ＲＳＴＤ）測定値に対応する情報を、無線インターフェース６２および／または通信インターフェース６０などのインターフェースなどを介して、複数の測位基準信号に対して実行された測定値に少なくとも部分的に基づいて受信することと、受信された情報に基づいて、構成ユニット３２などを介してＷＤ２２の位置を推定することとをさらに有する（ブロックＳ１３５ｂ）。いくつかの実施形態によれば、受信された情報は、複数の測位基準信号のうちのどれが最小の測定された到来時間を有するかを識別する情報を少なくとも有する。
【００９７】
図１０は、本開示のいくつかの実施形態による、ネットワークノード１６における代替の例示的な処理のフローチャートである。いくつかの実施形態によれば、この代替の例示的な処理を実施するネットワークノード１６は、少なくとも１つ以上の送信ポイントを有することができ、送信ノードと見なされてもよい。この方法は、構成ユニット３２を介するなどして、複数の測位基準信号に関する構成情報を取得する（ブロックＳ１３６）ことを有する。この処理は、構成ユニット３２を介するなどして、得られた構成情報に対応する複数の測位基準信号のそれぞれについて波形を決定するステップ（ブロックＳ１３８）を有する。このプロセスは、複数の測位基準信号のそれぞれについて決定された波形の、たとえば無線インターフェース６２を介した送信を引き起こすステップ（ブロックＳ１４０）を有する。いくつかの実施形態によれば、送信ノードは、送信ポイント識別子に関連付けられており、送信ポイント識別子は、送信ポイント識別子に少なくとも部分的に基づき、送信される複数の測位基準信号に対して測定を実行するために、送信ノードの送信ポイントを識別する。
【００９８】
図１１は、本開示のいくつかの実施形態による無線デバイス２２における例示的な処理のフローチャートである。この方法は、無線インターフェース８２および／または測定ユニット３４などを介して、複数の測位基準信号のうちのどれが同一の送信ポイントから送信されるかを示す情報を受信すること（ブロックＳ１４２）を有する。この方法は、測定ユニット３４を介するなどして、同一の送信ポイントから送信される複数の測位基準信号のそれぞれに対して測定を行うステップ（ブロックＳ１４４）を有する。
【００９９】
いくつかの実施形態によれば、測定を行うことは、各送信ポイントに対して、同一の送信ポイントからの測位基準信号について測定されたＴＯＡのうちで最小のＴＯＡである到来時間（ＴＯＡ）を演算すること（ブロックＳ１４５ａ）と、少なくとも一対の送信ポイントにおける各送信ポイントについて演算されたＴＯＡに基づいて、少なくとも一対の送信ポイントについての基準信号時間差（ＲＳＴＤ）を演算すること（Ｓ１４５ｂ）と、をさらに有する。いくつかの実施形態によれば、該方法は、無線インターフェース８２および／または測定ユニット３４を介するなどして、少なくとも一対の送信ポイントについて演算されたＲＳＴＤをネットワークノード１６（たとえば、構成ユニット３２）に報告することをさらに有する。いくつかの実施形態によれば、レポートは、複数の測位基準信号のうちのどれが最小の到達測定時間（測定された到来時間）を有するかを識別する情報を少なくとも有する。
【０１００】
注意すべきことは、図９から図１１を参照して上述されたプロセス要素のうちのいくつかは、１つまたは複数の特定の要素によって実行されるものとして説明されているが、そのような説明は、単に例として提供されているに過ぎないことを理解されたい。具体的に列挙されたもの以外の要素は、個々に、または組み合わせて、特定のプロセス要素を実施してもよいことが企図されている。ビームベースの測位（測定）および測定報告のためのいくつかの実施形態が説明されたが、いくつかの実施形態のより詳細な説明が以下に提供される。
【０１０１】
デバイス構成
【０１０２】
いくつかの実施形態によれば、ＷＤ２２は、リッチビームベースの測位および測位の範囲に関して（たとえば、ネットワークノード１６によって）構成されてもよい。例示的な構成は、いかなる限定の意図なく、以下の物を有してもよい：
●ＷＤ２２が、送信ポイントに関連付けられたすべてのＰＲＳについて１つのＴＯＡを決定する場合、またはそれらが個別に報告されるべき場合。
●ＷＤ２２が、送信ポイントに関連付けられたＰＲＳごとに２つ以上の信号経路を決定する場合。
●ＷＤ２２が異なる送信ポイント間の相対的な時間差を決定する場合。
●ＷＤ２２が、送信ポイントに関連付けられた１つのＰＲＳを基準として保持し、この特定の基準に基づいてすべてのＲＳＴＤ測定値を決定する場合。
【０１０３】
いくつかの実施形態によれば、ＷＤ２２は、送信ポイントへの各ＰＲＳの関連付けを用いて構成されてもよい。一実施形態によれば、この関連付けは、各ＰＲＳの構成情報に送信ポイントＩＤを含めることによって実施される。別の実施形態によれば、送信ポイントへの各ＰＲＳの関連付けは、所与の送信ポイントから送信されたＰＲＳを有する各送信ポイントのリストとして実装される。
【０１０４】
さらに別の実施形態によれば、送信ポイントへの／とのＰＲＳの関連付けの概念は、ＰＲＳグループへのＰＲＳの関連付けに一般化されてもよい。ＰＲＳグループは、同一の送信グループから送信された全てのＰＲＳを含むことができる（しかし、含むことが必須である必要はない）。この実施形態によれば、ＰＲＳのＰＲＳグループへの関連付けは、ＰＲＳの送信ポイントへの関連付けを置き換えることができ、ＷＤ２２は、たとえば、各ＰＲＳについて１つのＴＯＡ、または各ＰＲＳグループについて１つのＴＯＡを報告するように構成されうる。
【０１０５】
一実施形態によれば、ＷＤ２２は、２つのリストといった形式で、ＰＲＳアシスタンス（支援）または関連付け情報を受信してもよく、ここで一方のリストは、潜在的な基準ＰＲＳを示唆するリストとされてもよく、他方のリストは、近隣ＰＲＳを示唆するリストとされてもよい。この文脈では、異なる基準リストおよび隣接リストに属する、１つの送信ポイントからの２つのＰＲＳが存在し得る。したがって、ＷＤ２２は、ＲＳＴＤ測定のための受信された支援情報に従って、基準および近隣ＰＲＳを選択してもよく、または、ＷＤ２２は、それ自体でＲＳＴＤ測定のためのＰＲＳを選択してもよく、これら両方の場合において、選択されたＰＲＳがＲＳＴＤ測定結果と一緒に報告されてもよい。
【０１０６】
デバイス処理
【０１０７】
いくつかの実施形態によれば、それぞれが２つ以上のＰＲＳについて構成された１つ以上の送信ポイントを有する構成が与えられており、送信ポイントからの異なるＰＲＳが異なるビームに関連付けられ得る場合、ＷＤ２２は、以下の異なる実施形態で説明されるように、リッチビームベースの測位結果および情報をコンパイルする（組み立てる）ために異なる処理を実行するように構成されてもよい。
【０１０８】
一実施形態によれば、ＷＤ２２は、所与の送信ポイントから送信されたＰＲＳについて測定されたＴＯＡの最小値として、各送信ポイントについてＴＯＡを演算する。実施形態の一態様によれば、ＷＤ２２はさらに、十分に正確なＴＯＡ測定を可能にするほどに十分に強いと考えられるＰＲＳのみを含める。実施形態の１つの態様において、結果として生じる送信ポイントあたりのＴＯＡは、リッチビームベースのポジショニング測定値（測位結果）および情報に含まれる。本実施形態の別の態様によれば、ＷＤ２２は、各送信ポイントについて演算されたＴＯＡに基づいて、異なる送信ポイントペア間のＲＳＴＤを演算し、リッチビームベースのポジショニング測定値および情報に、そのような情報／演算結果を含めてもよい。
【０１０９】
別の実施形態によれば、ＷＤ２２は、リッチビームベースのポジショニング測定値および情報において、それぞれの監視された送信ポイントから送信される全てのＰＲＳについてのＴＯＡを含める。監視される送信ポイントのセットは、測定されたＰＲＳの品質に応じて低減されてもよい。一態様によれば、送信ポイントから送信されたすべてのＰＲＳのＴＯＡは、送信ポイントの基準ＰＲＳからのＴＯＡと、同一の送信ポイントに関連付けられた他のＰＲＳの相対的ＴＯＡとによって表されてもよい。
【０１１０】
さらに別の実施形態によれば、ＷＤ２２は、同一の送信ポイントに関連付けられた、ＰＲＳ当たり２つ以上の信号経路に関する情報を含める。実施形態の一態様によれば、ＷＤ２２は、各経路の時間を基準経路の到来時間として表し、同一のＰＲＳについての他の経路の相対時間差を表すように構成される。
【０１１１】
レポートコンフィギュレーション（報告構成）
【０１１２】
一実施形態によれば、ＷＤ２２は、オンデマンドでＲＳＴＤレポートを実行してもよく、すなわち、リクエストがネットワークノード１６から受信されると、ＷＤ２２は、ＲＳＴＤ測定を実行し、１つの信号でレポートを送信する。別の実施形態によれば、ＷＤ２２は、周期的にＲＳＴＤ測定値を報告する。周期性は、ある所定の時間間隔に基づくか、または、トリガーイベントに応答するかのいずれであってもよく、これはＷＤ２２が潜在的に新たな位置にいると思われるようなものであってもよい。
【０１１３】
一実施形態によれば、ＷＤ２２は、ＰＲＳ機会の集約されたセットについてＲＳＴＤ測定値を報告することができ、別の実施形態によれば、レポートは、各ＰＲＳ機会を別々に持つＲＳＴＤ測定値のセットを含むことができる。
【０１１４】
一実施形態によれば、ネットワークノード１６は、ＰＲＳ ＩＤおよび送信ポイントＩＤを１つの表現に含めることができるＰＲＳ ＩＤ報告のある種の表現を有してもよい。別の実施形態によれば、同一の送信ポイントからのＰＲＳ ＩＤの構成がどのようにＷＤ２２に提供されるかの順序について、ネットワークノード１６とＷＤ２２との間に事前定義されたルールが存在してもよい。
【０１１５】
ネットワークノードプロセッシング（処理）
【０１１６】
一実施形態によれば、ネットワークノード１６は、リッチビームベースのポジショニング測定値（測位結果）および情報をＷＤ２２から受信し、これ（および場合によっては基地局から受信される追加情報）に基づいて、ネットワークノード１６は、ＷＤ２２の位置を推定してもよい。
【０１１７】
一実施形態によれば、ネットワークノード１６は、様々な送信ポイントから所与のＷＤ２２に送信されたＰＲＳについての、複数のセットの到来時間測定値を受信する。ネットワークノード１６は、ＷＤ２２の位置を推定するために、同一の送信ポイントのすべてのビームの中で、および、すべての送信ポイントの中で、ＰＲＳの最良のセットを識別してもよい。ネットワークノード１６は、ＷＤ２２の位置推定誤差を最小化することを意図するコスト関数を最小化しながら、所与のＷＤ２２に対するすべての送信ポイントからのビームのうちでこの最良のセットを識別してもよい。これを行う間、ネットワークノード１６はまた、いくつかの送信ポイントからのビームが遭遇する非ＬＯＳ（ＮＬＯＳ）チャンネルによる誤差を低減してもよい。
【０１１８】
詳細な例
【０１１９】
ネットワークの視点：
【０１２０】
ネットワークノード１６は、ＰＲＳと呼ばれることがある、測位に使用するためのいくつかの基準信号についてＷＤ２２を構成してもよい。ＷＤ２２のコンフィギュレーション（構成）は、どのＰＲＳが同一の送信ポイントから送信されるかに関する情報を有してもよい。これは、それぞれのＰＲＳに送信ポイントＩＤを付与し、このＩＤをＰＲＳについてのＷＤ２２の構成に含めることによって（たとえば、ネットワークノード１６からＷＤ２２に）シグナリングされてもよい。
【０１２１】
ネットワークノード１６は、ＲＳＴＤ測定値についてＷＤ２２から受信することができ、送信ポイントごとに、所与の送信ポイントから送信されたＰＲＳのうち、十分に正確なＴＯＡ測定を可能にするほどに十分に強いＰＲＳ、測定されたＴＯＡが最も小さいＰＲＳなどを有する。このような情報に基づいて、ＷＤ２２の位置を推定してもよい。
【０１２２】
ＷＤの視点：
【０１２３】
いくつかの実施形態によれば、ＷＤ２２は、測位に使用するいくつかの基準信号（本開示ではＰＲＳと呼ぶ）の構成情報を受信してもよい。コンフィギュレーション（構成）は、どのＰＲＳが同一の送信ポイントから送信されるかに関する情報を有してもよい。
【０１２４】
いくつかの実施形態によれば、ＷＤ２２は、各送信ポイントから送信されるすべてのＰＲＳについてＴＯＡを測定することができ、十分に正確なＴＯＡ測定を可能にするほどに十分に強いものを判定（決定）してもよい。いくつかの実施形態によれば、ＷＤ２２は、所与の送信ポイントから送信されたＰＲＳについて測定されたＴＯＡの最小値として各送信ポイントについてＴＯＡを演算することができ、どのＰＲＳ（複数可）が十分に正確なＴＯＡ測定を可能にするほどに十分に強いかを決定してもよい。各送信ポイントについて、ＷＤ２２は、所与の送信ポイントから送信されたＰＲＳの中で、どのＰＲＳが十分に正確なＴＯＡ測定を可能にするほどに十分に強く、どのＰＲＳが最小の測定されたＴＯＡを有するか、等を識別するように構成されてもよい。いくつかの実施形態によれば、ＷＤ２２は、各送信ポイントについて演算されたＴＯＡに基づいて、送信ポイントの異なる対い（異なる送信ポイントペア）の間のＲＳＴＤを演算してもよい。いくつかの実施形態によれば、ＷＤ２２は、異なる送信ポイントペアについてＲＳＴＤを（たとえば、ネットワークノード１６に）報告してもよい。各送信ポイントについて、ＷＤ２２は、所与の送信ポイントから送信されたＰＲＳの中で、どのＰＲＳが十分に正確なＴＯＡ測定を可能にするほどに十分に強いか、どのＰＲＳが最小の測定されたＴＯＡを有するか、等を報告してもよい。
【０１２５】
送信ポイント視点：
【０１２６】
送信ポイントは、複数のＰＲＳのための構成情報を取得してもよい。ある実施形態によれば、送信ポイント（ＴＰ）は、複数のＰＲＳのための構成をロケーションサーバに提供してもよい。いくつかの実施形態によれば、送信ポイントは、構成されたＰＲＳのそれぞれについて、新しい波形を決定してもよい。いくつかの実施形態によれば、送信ポイントは、各ＰＲＳの波形を送信してもよい。
【０１２７】
本開示のいくつかの実施形態は、ＷＤ２２が同一の送信ポイントから送信される複数のＰＲＳを用いて構成される場合へのＲＳＴＤ測定の拡張のための原理を提供する。
【０１２８】
いくつかの実施形態によれば、個々のＰＲＳのＴＯＡに基づく送信ポイント間のＲＳＴＤの演算は、以下の２つのステップのうちの１つ以上で実行されてもよい：
−ＷＤ２２は、与えられた送信ポイントから送信されたＰＲＳビームについて測定され、十分に正確なＴＯＡ測定を可能にするほどに十分な強度を有するＴＯＡの最小値として、各送信ポイントについてＴＯＡを算出する。−ＷＤ２２は、各送信ポイントについて算出されたＴＯＡに基づいて、異なる送信ポイントペア間のＲＳＴＤを算出する。
【０１２９】
本開示のいくつかの実施形態は、所与の送信ポイントから送信されたＰＲＳの中で、十分に正確なＴＯＡ測定を可能にするほどに十分に強く、最小の測定されたＴＯＡを有するＰＲＳなどの識別情報および報告を提供する。
【０１３０】
さらに、ネットワークノード１６は、ＷＤ２２の位置を推定するために、ＰＲＳのビームの発射角とともに、同一の送信ポイントまたはポートから送信されたＰＲＳから報告された推定されたＴＯＡを利用することもできる。
【０１３１】
本開示の説明は、ダウンリンク（ＤＬ）通信およびアップリンク（ＵＬ）通信のうちの一方の文脈で説明されてもよいが、開示された基本原理は、ＤＬ通信およびＵＬ通信のうちの他方にも適用可能であり得ることを理解されたい。本開示のいくつかの実施形態によれば、原理は、送信機および受信機に適用可能であると考えられ得る。一般に、ＤＬ通信の場合、ネットワークノード１６は送信機であり、受信機はＷＤ２２である。一般的に、アップリンク通信の場合、送信機はＷＤ２２であり、受信機はネットワークノード１６である。
【０１３２】
本開示の説明は、測位基準信号の文脈で説明されてもよいが、本原理は、他のタイプの基準信号など、他のタイプの信号にも適用可能であり得ることを理解されたい。
【０１３３】
本開示で説明される任意の２つ以上の実施形態は、互いに任意の方法で組み合わされてもよい。
【０１３４】
本開示で使用される「シグナリング」という用語は、（たとえば、無線リソース制御（ＲＲＣ）などを介した）上位レイヤシグナリング、（たとえば、物理制御チャネルまたはブロードキャストチャネルを介した）下位レイヤシグナリング、またはそれらの組合せのうちのいずれかを有してもよい。シグナリングは、暗黙的であっても、明示的であってもよい。シグナリングは、さらに、ユニキャスト、マルチキャストまたはブロードキャストであってもよい。シグナリングは、別のノードに直接的に、または第３のノードを介してもよい。
【０１３５】
本開示で使用される「無線測定」または「測定」という用語は、測位基準信号などの無線信号上で実行される任意の測定を指しうるものである。無線測定は、絶対的であっても相対的であってもよい。無線測定は、信号品質および／または信号強度であり得る信号レベルと呼ばれうる。無線測定には、たとえば、周波数内測定、周波数間測定、ＲＡＴ間測定、ＣＡ測定などがある。無線測定は、単方向（たとえば、ＤＬまたはＵＬ）または双方向（たとえば、ラウンドトリップ時間（ＲＴＴ）、受信−送信（Ｒｘ−Ｔｘ）など）であり得る。無線測定のいくつかの例：タイミング測定（たとえば、到来時間（ＴＯＡ）、タイミングアドバンス、ＲＴＴ、基準信号時間差（ＲＳＴＤ）、Ｒｘ−Ｔｘ、伝搬遅延など）、角度測定（たとえば、到来角度）、電力に基づく測定（たとえば、受信信号電力、基準信号受信電力（ＲＳＲＰ）、受信信号品質、基準信号受信品質（ＲＳＲＱ）、信号対干渉プラス雑音比（ＳＩＮＲ）、信号雑音比（ＳＮＲ）、干渉電力、トータル干渉プラス雑音、受信信号強度インジケータ（ＲＳＳＩ）、雑音電力など）、セル検出またはセル識別、無線リンク監視（ＲＬＭ）、システム情報（ＳＩ）読み取りなど。
【０１３６】
インジケーション（たとえば、複数の測位基準信号のうちのどれが同一の送信ポイントから送信されるかを示す情報など）は、一般に、それが表すおよび／または示す情報を明示的および／または暗黙的に示すことができる。暗黙のインジケーションは、たとえば、送信のために使用される位置および／またはリソースに基づくことができる。明示的なインジケーションは、たとえば、１つ以上のパラメータ、および／またはテーブルに対応する１つ以上のインデックス、および／または情報を表す１つ以上のビットパターンを用いたパラメータ化に基づくことができる。
【０１３７】
無線ノード、特に端末またはＷＤ（たとえば、ＷＤ２２）を構成することは、構成に従って動作するように（たとえば、複数の基準信号を測定するように）適合され、またはさせられ、または設定され、および／または指示される無線ノードを指すことができる。
構成することは、別の装置、たとえば、ネットワークノード（たとえば、ネットワークノード１６）（たとえば、基地局またはｇＮＢ）またはネットワークによって行われてもよく、この場合、構成されるべき無線ノードにコンフィギュレーション（構成）データを送信することを含んでもよい。そのようなコンフィギュレーションデータは、構成されるべきコンフィギュレーション（構成）を表すことができ、および／または、コンフィギュレーションに関係する１つ以上の命令、たとえば、割り当てられたリソース、特に周波数リソース上で送信および／または受信するためのコンフィギュレーションを含むことができる。無線ノードは、たとえば、ネットワークまたはネットワークノードから受信したコンフィギュレーションデータに基づいて、自身を構成してもよい。ネットワークノードは、構成するためにその回路／複数の回路を利用し、および／または利用するように適合されてもよい。アロケーション（割当）情報は、コンフィギュレーションデータの一形態と考えることができる。コンフィギュレーションデータは、構成情報、および／または１つ以上の対応するインジケーションおよび／またはメッセージ、を含む、および／または、で表現されてもよい。
【０１３８】
一般に、構成は、構成を表すコンフィギュレーションデータを決定し、たとえば、それを１つ以上の他のノード（並列および／または順次）に送信し、無線ノード（または、無線デバイス２２に到達するまで繰り返されうる別のノード）にそれを送信することを有してもよい。あるいは、たとえば、ネットワークノード１６または他の装置によって無線ノードを構成することが、たとえば、ネットワークの上位レベルのノードであり得るネットワークノード１６のような他のノードから、コンフィギュレーションデータおよび／または当該コンフィギュレーションデータに関連したデータを受信し、および／または、受信されたコンフィギュレーションデータを無線ノードに送信してもよい。したがって、構成を決定し、コンフィギュレーションデータを無線ノードに送信することは、異なる様々なネットワークノードまたはエンティティによって実行されてもよく、それらは、好適なインターフェース、たとえば、ＬＴＥのケースではＸ２インターフェース、またはＮＲのための対応するインターフェースを介して通信することが可能であってもよい。端末（たとえば、ＷＤ２２）を構成することは、本開示の実施形態にしたがって、あるサブフレームまたは無線リソース上である測定を実行するようにＷＤ２２を構成することと、そのような測定を報告（レポート）することとを含んでもよい。
【０１３９】
当業者によって理解されるように、本開示で説明される概念は、方法、データ処理システム、コンピュータプログラムプロダクト、および／または実行可能なコンピュータプログラムを記憶するコンピュータ記憶媒体として具現化されてもよい。この方法、データ処理システム、コンピュータプログラムプロダクト、および／または実行可能なコンピュータプログラムを記憶するコンピュータ記憶媒体として、本開示で説明される概念は、本開示で一般に「回路」または「モジュール」と呼ばれる、完全にハードウェアの実施形態、完全にソフトウェアの実施形態、またはソフトウェアおよびハードウェアの態様を組み合わせた実施形態の、いずれの形態をとってもよい。さらに、本開示は、コンピュータによって実行してもよい、媒体内に具現化されたコンピュータプログラムコードを有する、有形のコンピュータ使用可能記憶媒体上のコンピュータプログラムプロダクトの形式をとることができる。ハードディスク、ＣＤ−ＲＯＭ、電子記憶デバイス、光記憶デバイス、または磁気記憶デバイスを含む、任意の適切な有形のコンピュータ可読媒体が利用されてもよい。
【０１４０】
いくつかの実施形態は、方法、システムおよびコンピュータプログラムプロダクトのフローチャート図および／またはブロック図に関連して本開示に記載される。フローチャートおよび／またはブロック図の各ブロック、ならびにフローチャートおよび／またはブロック図のブロックの組合せは、コンピュータプログラム命令によって実施できることを理解されたい。これらのコンピュータプログラム命令は、汎用コンピュータのプロセッサ（それによって、専用コンピュータを生成するために）、専用コンピュータ、またはマシン（機械）を生成するための他のプログラマブルデータ処理装置に提供されてもよく、その結果、コンピュータまたは他のプログラマブルデータ処理装置のプロセッサを介して実行される命令は、フローチャートおよび／またはブロック図の１つまたは複数のブロックで指定される機能／動作を実装するための手段を生成する。
【０１４１】
これらのコンピュータプログラム命令は、コンピュータ可読メモリまたは他のプログラマブルデータ処理装置に特定の方法で機能するように指示してもよいコンピュータ可読メモリまたは記憶媒体に記憶されてもよく、コンピュータ可読メモリに記憶された命令は、フローチャートおよび／またはブロック図のブロックまたはブロック群により指定された機能／動作を実装する命令手段を有する製品を作成する。
【０１４２】
コンピュータプログラム命令はまた、コンピュータまたは他のプログラマブルデータ処理装置にロードされて、コンピュータまたは他のプログラマブル装置上で実行される一連の動作ステップをコンピュータまたは他のプログラマブル装置に実行させて、コンピュータまたは他のプログラマブル装置上で実行される命令が、フローチャートおよび／またはブロック図のブロックまたはブロックに指定された機能／動作を実装するためのステップを提供するように、コンピュータまたは他のプログラマブル装置上で実行されるプロセスを生成させることができる。
【０１４３】
ブロックに記載された機能／動作は、動作図に記載された順序とは異なる順序で行われてもよいことを理解されたい。たとえば、連続して示される２つのブロックは、実際には、実質的に同時に実行されてもよく、または、これらのブロックは、含まれる機能／動作に応じて、時には逆の順序で実行されてもよい。図のいくつかは、通信の主方向を示すために、通信経路上に矢印を有するが、通信は、描かれた矢印と反対の方向に生じ得ることが理解されるべきである。
【０１４４】
本開示に記載する概念の操作を実行するためのコンピュータプログラムコードは、Ｊａｖａ（Ｒ）またはＣ＋＋のようなオブジェクト指向プログラミング言語で書かれてもよい。しかし、本開示の動作を実行するためのコンピュータプログラムコードは、「Ｃ」プログラミング言語などの従来の手続き型プログラミング言語で書くこともできる。プログラムコードは、ユーザのコンピュータ上で、部分的にはユーザのコンピュータ上で、スタンドアロンソフトウェアパッケージとして、部分的にはユーザのコンピュータ上で、部分的にはリモートコンピュータ上で、または全体的にはリモートコンピュータ上で実行されてもよい。後者のシナリオでは、遠隔コンピュータは、ローカルエリアネットワーク（ＬＡＮ）またはワイドエリアネットワーク（ＷＡＮ）を介してユーザのコンピュータに接続されてもよく、またはコネクションは、（たとえば、インターネットサービスプロバイダを使用するインターネットを介して）外部コンピュータに対して行われてもよい。
【０１４５】
本開示では、上記の記載および図面とコネクションして、多くの様々な実施形態が開示されてきた。これらの実施形態のあらゆる組合せおよびサブコンビネーションを文字通りに説明し、例示することは、不当な繰り返しや、難読化を招くことを、理解されるであろう。したがって、すべての実施形態は、任意の方法および／または組合せで組合せることができ、図面を有する本開示は、本開示に記載された実施形態のすべての組合せおよびサブコンビネーション、ならびにそれらを作製し、使用する方法およびプロセスの完全な説明を構成すると解釈されるべきであり、そのような組合せまたはサブコンビネーションに対する特許請求の範囲を支持するものとする。
【０１４６】
前述の説明で使用されてもよい略語には、以下が含まれる：
【０１４７】
略語の説明
【０１４８】
ＮＲ： ニューレディオ（新無線）
【０１４９】
ＯＴＤＯＡ：観測される到来時間差
【０１５０】
ＰＤＰ：電力遅延プロファイル
【０１５１】
ＬＯＳ：ラインオブサイト（見通し線）
【０１５２】
ＮＬＯＳ：非ラインオブサイト
【０１５３】
ＴＤＯＡ：到来時間差
【０１５４】
ＴＲＳ：トラッキング基準信号
【０１５５】
ＲＳＴＤ：基準信号時間差
【０１５６】
当業者であれば、本開示に記載された実施形態は、本開示に特に示され、記載されたものに限定されないことを理解するであろう。加えて、上記に反対の言及がなされない限り、添付の図面の全てが縮尺通りではないことに留意されたい。上記の教示に照らして、様々な修正および変形が可能である。
【０１５７】
実施形態：
【０１５８】
実施形態Ａ１．
無線デバイス（ＷＤ）と通信するように構成されたネットワークノードであって、前記ネットワークノードは、以下のように構成されているか、および／または、無線インターフェースを有するか、および／または、以下のように構成されたプロセッシング回路を有する：
複数の測位基準信号について前記ＷＤを構成するための情報を通信し、当該通信される情報は、前記複数の測位基準信号のうちのどれが同一の送信ポイントから送信されるかを少なくとも示す。
【０１５９】
実施形態Ａ２．
実施形態Ａ１のネットワークノードであって、前記通信される情報は、前記複数の測位基準信号のそれぞれに対する送信ポイント識別子を有し、当該送信ポイント識別子は、対応する測位基準信号の送信ポイントを識別する。
【０１６０】
実施の形態Ａ３．
実施の形態Ａ１のネットワークノードであって、前記プロセッシング回路は、さらに、以下のように構成されている：
前記ＷＤからの基準信号時間差（ＲＳＴＤ）測定に対応する情報を受信し、当該ＲＳＴＤは、複数の測位基準信号に対して行われた測定に少なくとも部分的に基づいており、
前記受信される情報に基づいて、前記ＷＤの位置を推定する。
【０１６１】
実施形態Ａ４．
実施形態Ａ３に記載のネットワークノードであって、前記受信される情報は、少なくとも、前記複数の測位基準信号のうちのどれが最小の測定された到来時間を有するかを識別する情報を有する。
【０１６２】
実施形態Ｂ１．
ネットワークノードにおいて実装される方法であって、前記方法は、以下を有する：
複数の測位基準信号について無線デバイス（ＷＤ）を構成するための情報を通信し、当該通信される情報は、少なくとも、前記複数の測位基準信号のうちのどれが同一の送信ポイントから送信されるかを示す。
【０１６３】
実施形態Ｂ２．
実施形態Ｂ１に記載の方法であって、前記通信される情報は、前記複数の測位基準信号のそれぞれに対する送信ポイント識別子を有し、前記送信ポイント識別子は、対応する測位基準信号の送信ポイントを識別する。
【０１６４】
実施形態Ｂ３．
実施形態Ｂ１の方法であって、さらに、以下を有する：
ＷＤからの基準信号時間差（ＲＳＴＤ）測定に対応する情報を受信することで、前記ＲＳＴＤは、前記複数の測位基準信号に対して実行された測定に少なくとも一部で基づいて、前記ＷＤの位置を推定することと、
前記受信された情報に基づいて、前記ＷＤの位置を推定すること。
【０１６５】
実施形態Ｂ４．
実施形態Ｂ３に記載の方法であって、前記受信された情報は、少なくとも、前記複数の測位基準信号のうちのどの測位基準信号が最小の測定された到来時間を有するかを識別する情報を有する。
【０１６６】
実施形態Ｃ１．
ネットワークノードと通信するように構成された無線デバイス（ＷＤ）であって、前記ＷＤは、以下のように構成されているか、および／または、無線インターフェースおよび／または、以下のように構成されているプロセッシング回路を有し：
同一の送信ポイントから前記複数の測位基準信号のうちのどれが送信されるかを示す情報を受信し、前記同一の送信ポイントから送信された前記複数の測位基準信号のそれぞれについて測定を行う。
【０１６７】
実施形態Ｃ２．
実施形態Ｃ１のＷＤであって、前記プロセッシング回路は、次のように構成されることによって前記測定を実行するように構成されている：
同一の送信ポイントからの前記測位基準信号について測定されたＴＯＡのうちで最小の到来時間（ＴＯＡ）として各送信ポイントごとのＴＯＡとして算出し、
少なくとも一対の送信ポイントにおける各送信ポイントについて算出されたＴＯＡに基づき、前記少なくとも一対の送信ポイントについて基準信号時間差（ＲＳＴＤ）を算出する。
【０１６８】
実施形態Ｃ３．
実施形態Ｃ２のＷＤであって、前記プロセッシング回路は、前記少なくとも一対の送信ポイントについて算出されたＲＳＴＤを前記ネットワークノードに報告するようにさらに構成されている。
【０１６９】
実施形態Ｃ４．
実施形態Ｃ３のＷＤであって、前記レポートは、前記複数の測位基準信号のうちのどれが最小の測定された到来時間を有するかを識別する情報を少なくとも有する。
【０１７０】
実施形態Ｄ１．
無線デバイス（ＷＤ）に実装される方法であって、前記方法は、以下を有する：
同一の送信ポイントから複数の測位基準信号のうちのどれが送信されるかを示す情報を受信することと、
前記同一の送信ポイントから送信された前記複数の測位基準信号のそれぞれについて測定を行うこと。
【０１７１】
実施形態Ｄ２．
実施形態Ｄ１の方法であって、前記測定を実行することは、さらに以下を有する：
各送信ポイントについて、同一の送信ポイントからの測位基準信号について測定されたＴＯＡのうちで最小のＴＯＡとして到来時間（ＴＯＡ）を算出することと、
少なくとも一対の送信ポイントにおける各送信ポイントについて算出したＴＯＡに基づき、前記少なくとも一対の送信ポイントについての基準信号時間差（ＲＳＴＤ）を算出すること。
【０１７２】
実施形態Ｄ３．
実施形態Ｄ２に記載の方法であって、前記少なくとも一対の送信ポイントについて算出された前記ＲＳＴＤを前記ネットワークノードに報告することをさらに有する。
【０１７３】
実施形態Ｄ４．
実施形態Ｄ３に記載の方法であって、前記レポートは、少なくとも、前記複数の測位基準信号のうちのどれが最小の測定された到来時間を有するかを識別する情報を有する。
【０１７４】
実施形態Ｅ１．
無線デバイス（ＷＤ）と通信するように構成された送信ノードであって、前記送信ノードは、以下のように構成されているか、および／または、無線インターフェースを有するか、および／または、以下のように構成されたプロセッシング回路を有している：
複数の測位基準信号についての構成情報を取得し、
前記取得された構成情報に対応する前記複数の測位基準信号のそれぞれについて波形を決定し、
前記複数の測位基準信号のそれぞれについて決定された前記波形の送信を実行させる。
【０１７５】
実施形態Ｅ２．
実施形態Ｅ１の送信ノードであって、前記送信ノードは、送信ポイント識別子に関連付けられており、前記送信ポイント識別子は、当該送信ポイント識別子に少なくとも部分的に基づいて、前記送信される複数の測位基準信号について測定を実行するための前記送信ノードの送信ポイントを識別する。
【０１７６】
実施形態Ｆ１．
送信ノードにおいて実装される方法であって、前記方法は、以下を有する：
複数の測位基準信号についての構成情報を取得することと、
前記取得されれた構成情報に対応する複数の測位基準信号のそれぞれについて波形を決定することと、
前記複数の測位基準信号のそれぞれについて決定された前記波形を送信すること。
【０１７７】
実施形態Ｆ２．
実施形態Ｆ１に記載の方法であって、前記送信ノードは、送信ポイント識別子に関連付けられており、前記送信ポイント識別子は、当該送信ポイント識別子に少なくとも部分的に基づいて、前記送信される複数の測位基準信号について測定を実行するための前記送信ノードの送信ポイントを識別する。
【図１】
2022502957.tif 000003
【図２】
2022502957.tif 000004
【図３】
2022502957.tif 000005
【図４】
2022502957.tif 000006
【図５】
2022502957.tif 000007
【図６】
2022502957.tif 000008
【図７】
2022502957.tif 000009
【図８】
2022502957.tif 000010
【図９】
2022502957.tif 000011
【図１０】
2022502957.tif 000012
【図１１】
2022502957.tif 000013
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
無線デバイス（ＷＤ）（２２）と通信するように構成されたネットワークノード（１６）であって、前記ネットワークノードは、無線インターフェース（６２）とプロセッシング回路（６８）とを有し、当該プロセッシング回路（６８）は、
複数の測位基準信号について前記ＷＤを構成するための情報を通信するように構成されており、前記通信される情報は、前記複数の測位基準信号のうちのどれが同一の送信ポイントから送信されるかを少なくとも示す、ネットワークノード。
【請求項２】
請求項１に記載のネットワークノードであって、前記通信される情報は、前記複数の測位基準信号のそれぞれについての送信ポイント識別子を有し、当該送信ポイント識別子は、対応する測位基準信号の送信ポイントを識別する、ネットワークノード。
【請求項３】
請求項１に記載のネットワークノードであって、前記無線インターフェースおよび前記プロセッシング回路は、さらに、
基準信号時間差（ＲＳＴＤ）測定に対応する情報を前記ＷＤから受信し、ここで前記ＲＳＴＤは、前記複数の測位基準信号について行われた測定に少なくとも部分的に基づいており、
前記受信された情報に基づいて、前記ＷＤの位置を推定する、ように構成されている、ネットワークノード。
【請求項４】
ネットワークノードにおいて実装される方法であって、前記方法は、
複数の測位基準信号について無線デバイス（ＷＤ）を構成するための情報を通信すること（Ｓ１３４）を有し、前記通信される情報は、少なくとも前記複数の測位基準信号のうちのどれが同一の送信ポイントから送信されるかを示す、方法。
【請求項５】
請求項４に記載の方法であって、前記通信される情報は、前記複数の測位基準信号のそれぞれについての送信ポイント識別子を有し、前記送信ポイント識別子は、対応する測位基準信号の送信ポイントを識別する、方法。
【請求項６】
請求項４に記載の方法であって、前記方法は、さらに、
基準信号時間差（ＲＳＴＤ）の測定に対応する情報を前記ＷＤから受信すること（Ｓ１３５ａ）と、ここで、前記ＲＳＴＤは、前記複数の測位基準信号に対して実行された測定に少なくとも部分的に基づいており、
前記受信された情報に基づいて、前記ＷＤの位置を推定すること（Ｓ１３５ｂ）と、を有する方法。
【請求項７】
ネットワークノード（１６）と通信するように構成された無線デバイス（ＷＤ）（２２）であって、前記ＷＤは、無線インターフェース（８２）とプロセッシング回路（８８）とを有し、前記プロセッシング回路（８８）は、
複数の測位基準信号のうち同一の送信ポイントから送信されるものを示す情報を受信し、
前記同一の送信ポイントから送信される前記複数の測位基準信号のそれぞれについて測定を実行する、ように構成されている、ＷＤ。
【請求項８】
請求項７に記載のＷＤであって、前記無線インターフェースおよび前記プロセッシング回路は、
少なくとも一対の送信ポイントにおける各送信ポイントについて、同一の送信ポイントからの測位基準信号についての到来時間（ＴＯＡ）を測定し、
前記少なくとも一対の送信ポイントにおける各送信ポイントについて算出された前記ＴＯＡに基づいて、前記少なくとも一対の送信ポイントについての基準信号時間差（ＲＳＴＤ）を算出する、ように構成されている、ＷＤ。
【請求項９】
請求項８に記載のＷＤであって、前記無線インターフェースおよび前記プロセッシング回路は、さらに、
前記同一の送信ポイントからの前記測位基準信号について測定された前記ＴＯＡのうちで最小のＴＯＡとしてＴＯＡを算出する、ように構成されている、ＷＤ。
【請求項１０】
請求項８または９に記載のＷＤであって、前記無線インターフェースおよび前記プロセッシング回路は、前記少なくとも一対の送信ポイントについて算出された前記ＲＳＴＤを前記ネットワークノードに報告するようにさらに構成されている、ＷＤ。
【請求項１１】
請求項１０に記載のＷＤであって、前記報告は、前記同一の送信ポイントから送信される前記複数の測位基準信号のうちどれが最小の測定された到来時間を有するかを識別する情報を少なくとも有する、ＷＤ。
【請求項１２】
請求項１０に記載のＷＤであって、前記報告は、少なくとも、前記同一の送信ポイントから送信される前記複数の測位基準信号のうちで、十分に正確なＴＯＡ測定を可能にするほどに十分に強く、最小の測定されたＴＯＡを有する測位基準信号を識別する情報を有する、ＷＤ。
【請求項１３】
請求項７から１２のいずれか一項に記載のＷＤであって、前記無線インターフェースおよび前記プロセッシング回路は、さらに、
前記同一の送信ポイントから送信される複数の測位基準信号のうちで、十分に正確なＴＯＡ測定を可能にするほどに十分に強く、最小の測定されたＴＯＡを有している測位基準信号を識別するように構成されている、ＷＤ。
【請求項１４】
無線デバイス（ＷＤ）において実装される方法であって、前記方法は、
同一の送信ポイントから複数の測位基準信号のどれが送信されるかを示す情報を受信すること（Ｓ１４２）と、
前記同一の送信ポイントから送信された前記複数の測位基準信号のそれぞれについて測定を実行すること（Ｓ１４４）と、を有する、方法。
【請求項１５】
請求項１４に記載の方法であって、前記測定を実行することは、さらに、
少なくとも一対の送信ポイントにおける各送信ポイントについて、前記同一の送信ポイントからの前記測位基準信号についてＴＯＡを測定すること（Ｓ１４５ａ）と、
前記少なくとも一対の送信ポイントにおける各送信ポイントについて算出された前記ＴＯＡに基づいて、前記少なくとも一対の送信ポイントについての基準信号時間差（ＲＳＴＤ）を算出すること（Ｓ１４５ｂ）と、を有する、方法。
【請求項１６】
請求項１５に記載の方法であって、前記方法は、さらに、
前記同一の送信ポイントからの前記測位基準信号について測定されたＴＯＡのうちで最小のＴＯＡとしてＴＯＡを算出すること、を有する、方法。
【請求項１７】
請求項１５または１６に記載の方法であって、 前記少なくとも一対の送信ポイントについて算出された前記ＲＳＴＤをネットワークノードに報告すること、をさらに有する、方法。
【請求項１８】
請求項１７に記載の方法であって、前記報告は、前記複数の測位基準信号のうちで測定された到来時間が最小のものを識別する情報を少なくとも有する、方法。
【請求項１９】
請求項１７に記載の方法であって、前記報告は、前記同一の送信ポイントから送信される前記複数の測位基準信号のうちで、十分に正確なＴＯＡ測定を可能とするほどに十分に強く、最小の測定されたＴＯＡを有する測位基準信号を識別する情報を少なくとも有する、方法。
【国際調査報告】
2022502957.tif 000014
2022502957.tif 000015
2022502957.tif 000016